(57)【要約】      （修正有）【課題】ＩＥＥＥ  ８０２．１１ａ／ｂ／ｎ／ｇに加えてＩＥＥＥ  ８０２．１１ａｃのような複数の規格をサポートするフレーム構造を提供する。【解決手段】ワイヤレスノードの第１のグループによって復号化可能な第１の部分４０２、４０４、４０６、４０８、４１０、および同時に起こるマルチユーザ通信をすることができるワイヤレスノードの第２のグループによって復号化可能な第２の部分６０２、６０４、６０６を含むフレーム構造６００を生成する。前記フレーム構造６００のプリアンブルは、パケットの送信モードを検出する受信機によって使用されることができる。【選択図】図６
2014161050.tif 000002
【特許請求の範囲】
【請求項１】
ワイヤレス通信のための方法であって、
ワイヤレスノードの第１のグループによって復号化可能な第１の部分、および同時に起こるマルチユーザ通信をすることができるワイヤレスノードの第２のグループによって復号化可能な第２の部分を含むフレーム構造を生成することと、
前記複数のデバイスにフレーム構造を送信することと
を備える、方法。
【請求項２】
前記第１の部分は、レガシショートトレーニングフィールド（Ｌ−ＳＴＦ）、ロングトレーニングフィールド（Ｌ−ＬＴＦ）およびレガシ信号フィールド（Ｌ−ＳＩＧ）を備える、
請求項１に記載の方法。
【請求項３】
前記第１の部分は、１つまたは複数の極めて高いスループットの信号（ＶＨＴ−ＳＩＧ）フィールドまたは１つまたは複数の高いスループットの信号（ＨＴ−ＳＩＧ）フィールドをさらに備える、
請求項２に記載の方法。
【請求項４】
前記フレーム構造の前記第２の部分は、極めて高いスループットのショートトレーニングフィールド（ＶＨＴ−ＳＴＦ）、少なくとも１つのＶＨＴ−ロングトレーニングフィールド（ＶＨＴ−ＬＴＦ）、およびＶＨＴ−信号フィールド（ＶＨＴ−ＳＩＧ）を備える、
請求項１に記載の方法。
【請求項５】
前記フレーム構造の前記第２の部分は、プレコード化される、
請求項１に記載の方法。
【請求項６】
前記ノードの第１のグループは、電気電子学会（ＩＥＥＥ）８０２．１１ａ／ｇ、ＩＥＥＥの８０２．１１ｎまたはＩＥＥＥ８０２．１１ａｃ規格のうちの１つに従う、
請求項１に記載の方法。
【請求項７】
前記ノードの第２のグループは、電気電子学会（ＩＥＥＥ）８０２．１１ａｃ規格に従う、
請求項１に記載の方法。
【請求項８】
前記ノードの第２のグループは、前記ノードの第１のグループのサブセットである、
請求項１に記載の方法。
【請求項９】
前記ＶＨＴ−ＳＩＧフィールドは、π／２−ＢＰＳＫ（２相位相変調）変調を使用して送信される、
請求項４に記載の方法。
【請求項１０】
前記１つまたは複数のＶＨＴ−ＳＩＧフィールドまたは前記１つまたは複数のＨＴ−ＳＩＧフィールドは、π／２−ＢＰＳＫ（２相位相変調）変調を使用して送信される、
請求項３に記載の方法。
【請求項１１】
ＶＨＴ−ＳＩＧフィールドのデータはプレコード化される、
請求項４に記載の方法。
【請求項１２】
前記ＶＨＴ−ＳＩＧフィールドは、空間分割多元接続（ＳＤＭＡ）を使用して送信される、
請求項４に記載の方法。
【請求項１３】
前記ＶＨＴ−ＳＩＧフィールドは前記ＶＨＴ−ロングトレーニングフィールド（ＶＨＴ−ＬＴＦ）のうちの１つの後で送信される、
請求項４に記載の方法。
【請求項１４】
少なくとも１つの極めて高いスループットの信号フィールド（ＶＨＴ−ＳＩＧ）は、前記ＨＴ−ＳＩＧフィールドの少なくとも１つと同時に送信される、
請求項２に記載の方法。
【請求項１５】
前記ＶＨＴ−ＳＩＧフィールドは、２相位相変調（ＢＰＳＫ）、π／２−ＰＡＭ（パルス振幅変調）またはスケールされたＢＰＳＫ変調のうちの１つを利用して送信される、
請求項１４に記載の方法。
【請求項１６】
ＶＨＴ−ＳＩＧフィールドは、１つまたは複数のＶＨＴ−ＬＴＦ（ロングトレーニングフィールド）の後で送信される、
請求項１４に記載の方法。
【請求項１７】
前記ＶＨＴ−ＳＩＧフィールドは、１つまたは複数のサブキャリアを通じて送信される、
請求項１４に記載の方法。
【請求項１８】
前記ＶＨＴ−ＳＩＧフィールドは、シーケンスを使用する前記サブキャリアに分散され、前記シーケンスは、ウォルシュコード、ゴーレイコードまたは相補的コードキーイング（ＣＣＫ）を備える、
請求項１７に記載の方法。
【請求項１９】
ワイヤレス通信のために方法であって、
フレーム構造を備える信号を受信することと、ここにおいて、前記フレーム構造は、ワイヤレスノードの第１のグループによって復号化可能な第１の部分および同時に起こるマルチユーザ通信ができるワイヤレスノードの第２のグループによって復号化可能な第２の部分を備える、
前記受信信号の情報に基づいて前記信号の送信モードを検出することと
を備える、方法。
【請求項２０】
前記第１の部分は、レガシショートトレーニングフィールド（Ｌ−ＳＴＦ）、ロングトレーニングフィールド（Ｌ−ＬＴＦ）、レガシ信号フィールド（Ｌ−ＳＩＧ）、および２つの高いスループットの信号（ＨＴ−ＳＩＧ）フィールドを備える、
請求項１９に記載の方法。
【請求項２１】
前記フレーム構造の前記第２の部分は、極めて高いスループットのショートトレーニングフィールド（ＶＨＴ−ＳＴＦ）、少なくとも１つのＶＨＴ−ロングトレーニングフィールド（ＶＨＴ−ＬＴＦ）、ＶＨＴ−信号フィールド（ＶＨＴ−ＳＩＧ）を備える、
請求項１９に記載の方法。
【請求項２２】
前記フレーム構造の前記第２の部分は、プレコード化される、
請求項１９に記載の方法。
【請求項２３】
前記ノードの第１のグループは、電気電子学会（ＩＥＥＥ）８０２．１１ａ／ｇ、ＩＥＥＥの８０２．１１ｎまたはＩＥＥＥ８０２．１１ａｃ規格のうちの１つに従う、
請求項１９に記載の方法。
【請求項２４】
前記ノードの第２のグループは、電気電子学会（ＩＥＥＥ）８０２．１１ａｃ規格に従う、
請求項１９に記載の方法。
【請求項２５】
前記ＶＨＴ−ＳＩＧフィールドは、π／２−ＢＰＳＫ（２相位相変調）変調を使用して送信される、
請求項２１に記載の方法。
【請求項２６】
ＶＨＴ−ＳＩＧフィールドのデータは、プレコード化される、
請求項２１に記載の方法。
【請求項２７】
前記ＶＨＴ−ＳＩＧフィールドは、空間分割多元接続（ＳＤＭＡ）を使用して送信される、
請求項２１に記載の方法。
【請求項２８】
前記ＶＨＴ−ＳＩＧフィールドは、前記ＶＨＴ−ロングトレーニングフィールド（ＶＨＴ−ＬＴＦ）のうちの１つの後で受信される、
請求項２１に記載の方法。
【請求項２９】
少なくとも１つの極めて高いスループットの信号フィールド（ＶＨＴ−ＳＩＧ）は、前記ＨＴ−ＳＩＧフィールドの少なくとも１つと同時に受信される、
請求項２０に記載の方法。
【請求項３０】
前記ＶＨＴ−ＳＩＧフィールドは、２相位相変調（ＢＰＳＫ）、π／２−ＰＡＭ（パルス振幅変調）、またはスケールされたＢＰＳＫ変調のうちの１つを利用して送信される、
請求項２９に記載の方法。
【請求項３１】
ＶＨＴ−ＳＩＧフィールドは、１つまたは複数のＶＨＴ−ＬＴＦ（ロングトレーニングフィールド）の後で受信される、
請求項３０に記載の方法。
【請求項３２】
前記ＶＨＴ−ＳＩＧフィールドは、１つまたは複数のサブキャリアを通じて送信される、
請求項３０に記載の方法。
【請求項３３】
前記ＶＨＴ−ＳＩＧフィールドは、シーケンスを使用する前記サブキャリアに分散され、前記シーケンスは、ウォルシュコード、ゴーレイコード、または相補的コードキーイング（ＣＣＫ）を備える、
請求項３２に記載の方法。
【請求項３４】
ワイヤレス通信のための装置であって
ワイヤレスノードの第１のグループによって復号化可能な第１の部分、および同時に起こるマルチユーザ通信をすることができるワイヤレスノードの第２のグループによって復号化可能な第２の部分を含むフレーム構造を生成するように構成された回路と、
前記複数のデバイスにフレーム構造を送信するように構成された送信機と
を備える装置。
【請求項３５】
前記第１の部分は、レガシショートトレーニングフィールド（Ｌ−ＳＴＦ）、ロングトレーニングフィールド（Ｌ−ＬＴＦ）およびレガシ信号フィールド（Ｌ−ＳＩＧ）を備える、
請求項３４に記載の装置。
【請求項３６】
前記第１の部分は、１つまたは複数の極めて高いスループットの信号（ＶＨＴ−ＳＩＧ）フィールドまたは１つまたは複数の高いスループットの信号（ＨＴ−ＳＩＧ）フィールドをさらに備える、
請求項３５に記載の装置。
【請求項３７】
前記フレーム構造の前記第２の部分は、極めて高いスループットのショートトレーニングフィールド（ＶＨＴ−ＳＴＦ）、少なくとも１つのＶＨＴ−ロングトレーニングフィールド（ＶＨＴ−ＬＴＦ）、およびＶＨＴ−信号フィールド（ＶＨＴ−ＳＩＧ）を備える、
請求項３４に記載の装置。
【請求項３８】
前記フレーム構造の前記第２の部分はプレコード化される、
請求項３４に記載の装置。
【請求項３９】
前記ノードの第１のグループは、電気電子学会（ＩＥＥＥ）８０２．１１ａ／ｇ、ＩＥＥＥの８０２．１１ｎまたはＩＥＥＥ８０２．１１ａｃ規格のうちの１つに従う、
請求項３４に記載の装置。
【請求項４０】
前記ノードの第２のグループは、電気電子学会（ＩＥＥＥ）８０２．１１ａｃ規格に従う、
請求項３４に記載の装置。
【請求項４１】
前記ノードの第２のグループは、前記ノードの第１のグループのサブセットである、
請求項３４に記載の装置。
【請求項４２】
前記ＶＨＴ−ＳＩＧフィールドは、π／２−ＢＰＳＫ（２相位相変調）変調を使用して送信される、
請求項３７に記載の装置。
【請求項４３】
前記１つまたは複数のＶＨＴ−ＳＩＧフィールドまたは前記１つまたは複数のＨＴ−ＳＩＧフィールドは、π／２−ＢＰＳＫ（２相位相変調）変調を使用して送信される、
請求項３６に記載の装置。
【請求項４４】
ＶＨＴ−ＳＩＧフィールドのデータはプレコード化される、
請求項３７に記載の装置。
【請求項４５】
前記ＶＨＴ−ＳＩＧフィールドは、空間分割多元接続（ＳＤＭＡ）を使用して送信される、
請求項３７に記載の装置。
【請求項４６】
前記ＶＨＴ−ＳＩＧフィールドは前記ＶＨＴロングトレーニングフィールド（ＶＨＴ−ＬＴＦ）のうちの１つの後で送信される、
請求項３７に記載の装置。
【請求項４７】
少なくとも１つの極めて高いスループットの信号フィールド（ＶＨＴ−ＳＩＧ）は、前記ＨＴ−ＳＩＧフィールドの少なくとも１つと同時に送信される、
請求項３５に記載の装置。
【請求項４８】
前記ＶＨＴ−ＳＩＧフィールドは、２相位相変調（ＢＰＳＫ）、π／２−ＰＡＭ（パルス振幅変調）またはスケールされたＢＰＳＫ変調のうちの１つを利用して送信される、
請求項４７に記載の装置。
【請求項４９】
ＶＨＴ−ＳＩＧフィールドは、１つまたは複数のＶＨＴ−ＬＴＦ（ロングトレーニングフィールド）の後で送信される、
請求項４８に記載の装置。
【請求項５０】
前記ＶＨＴ−ＳＩＧフィールドは、１つまたは複数のサブキャリアを通じて送信される、
請求項４７に記載の装置。
【請求項５１】
前記ＶＨＴ−ＳＩＧフィールドは、シーケンスを使用する前記サブキャリアに分散され、前記シーケンスは、ウォルシュコード、ゴーレイコードまたは相補的コードキーイング（ＣＣＫ）を備える、
請求項５０に記載の装置。
【請求項５２】
ワイヤレス通信のための装置であって、
フレーム構造を備える信号を受信するように構成された受信機と、ここにおいて、前記フレーム構造は、ワイヤレスノードの第１のグループによって復号化可能な第１の部分および同時に起こるマルチユーザ通信ができるワイヤレスノードの第２のグループによって復号化可能な第２の部分を備える、
前記受信信号の情報に基づいて前記信号の送信モードを検出するように構成された回路と
を備える、装置。
【請求項５３】
前記第１の部分は、レガシショートトレーニングフィールド（Ｌ−ＳＴＦ）、ロングトレーニングフィールド（Ｌ−ＬＴＦ）、レガシ信号フィールド（Ｌ−ＳＩＧ）、および２つの高いスループットの信号（ＨＴ−ＳＩＧ）フィールドを備える、
請求項５２に記載の装置。
【請求項５４】
前記フレーム構造の前記第２の部分は、極めて高いスループットのショートトレーニングフィールド（ＶＨＴ−ＳＴＦ）、少なくとも１つのＶＨＴ−ロングトレーニングフィールド（ＶＨＴ−ＬＴＦ）、ＶＨＴ信号フィールド（ＶＨＴ−ＳＩＧ）を備える、
請求項５２に記載の装置。
【請求項５５】
前記フレーム構造の前記第２の部分は、プレコード化される、
請求項５２に記載の装置。
【請求項５６】
前記ノードの第１のグループは、電気電子学会（ＩＥＥＥ）８０２．１１ａ／ｇ、ＩＥＥＥの８０２．１１ｎまたはＩＥＥＥ８０２．１１ａｃ規格のうちの１つに従う、
請求項５２に記載の装置。
【請求項５７】
前記ノードの第２のグループは、電気電子学会（ＩＥＥＥ）８０２．１１ａｃ規格に従う、
請求項５２に記載の装置。
【請求項５８】
前記ＶＨＴ−ＳＩＧフィールドは、π／２−ＢＰＳＫ（２相位相変調）変調を使用して送信される、
請求項５４に記載の装置。
【請求項５９】
ＶＨＴ−ＳＩＧフィールドのデータは、プレコード化される、
請求項５４に記載の装置。
【請求項６０】
前記ＶＨＴ−ＳＩＧフィールドは、空間分割多元接続（ＳＤＭＡ）を使用して送信される、
請求項５４に記載の装置。
【請求項６１】
前記ＶＨＴ−ＳＩＧフィールドは、前記ＶＨＴ−ロングトレーニングフィールド（ＶＨＴ−ＬＴＦ）のうちの１つの後で受信される、
請求項５４に記載の装置。
【請求項６２】
少なくとも１つの極めて高いスループットの信号フィールド（ＶＨＴ−ＳＩＧ）は、前記ＨＴ−ＳＩＧフィールドの少なくとも１つと同時に受信される、
請求項５３に記載の装置。
【請求項６３】
前記ＶＨＴ−ＳＩＧフィールドは、２相位相変調（ＢＰＳＫ）、π／２−ＰＡＭ（パルス振幅変調）、またはスケールされたＢＰＳＫ変調のうちの１つを利用して送信される、
請求項６２に記載の装置。
【請求項６４】
ＶＨＴ−ＳＩＧフィールドは、１つまたは複数のＶＨＴ−ＬＴＦ（ロングトレーニングフィールド）の後で受信される、
請求項６３に記載の装置。
【請求項６５】
前記ＶＨＴ−ＳＩＧフィールドは、１つまたは複数のサブキャリアを通じて送信される、
請求項６３に記載の装置。
【請求項６６】
前記ＶＨＴ−ＳＩＧフィールドは、シーケンスを使用する前記サブキャリアに分散され、前記シーケンスは、ウォルシュコード、ゴーレイコード、または相補的コードキーイング（ＣＣＫ）を備える、
請求項６５に記載の装置。
【請求項６７】
ワイヤレス通信のための装置であって、
ワイヤレスノードの第１のグループによって復号化可能な第１の部分、および同時に起こるマルチユーザ通信をすることができるワイヤレスノードの第２のグループによって復号化可能な第２の部分を含むフレーム構造を生成するための手段と、
前記複数のデバイスにフレーム構造を送信するための手段と
を備える、装置。
【請求項６８】
前記第１の部分は、レガシショートトレーニングフィールド（Ｌ−ＳＴＦ）、ロングトレーニングフィールド（Ｌ−ＬＴＦ）およびレガシ信号フィールド（Ｌ−ＳＩＧ）を備える、
請求項６７に記載の装置。
【請求項６９】
前記第１の部分は、１つまたは複数の極めて高いスループットの信号（ＶＨＴ−ＳＩＧ）フィールドまたは１つまたは複数の高いスループットの信号（ＨＴ−ＳＩＧ）フィールドをさらに備える、
請求項６８に記載の装置。
【請求項７０】
前記フレーム構造の前記第２の部分は、極めて高いスループットのショートトレーニングフィールド（ＶＨＴ−ＳＴＦ）、少なくとも１つのＶＨＴ−ロングトレーニングフィールド（ＶＨＴ−ＬＴＦ）、およびＶＨＴ−信号フィールド（ＶＨＴ−ＳＩＧ）を備える、
請求項６７に記載の装置。
【請求項７１】
前記フレーム構造の前記第２の部分はプレコード化される、
請求項６７に記載の装置。
【請求項７２】
前記ノードの第１のグループは、電気電子学会（ＩＥＥＥ）８０２．１１ａ／ｇ、ＩＥＥＥの８０２．１１ｎまたはＩＥＥＥ８０２．１１ａｃ規格のうちの１つに従う、
請求項６７に記載の装置。
【請求項７３】
前記ノードの第２のグループは、電気電子学会（ＩＥＥＥ）８０２．１１ａｃ規格に従う、
請求項６７に記載の装置。
【請求項７４】
前記ノードの第２のグループは、前記ノードの第１のグループのサブセットである、
請求項６７に記載の装置。
【請求項７５】
前記ＶＨＴ−ＳＩＧフィールドは、π／２−ＢＰＳＫ（２相位相変調）変調を使用して送信される、
請求項７０に記載の装置。
【請求項７６】
前記１つまたは複数のＶＨＴ−ＳＩＧフィールドまたは前記１つまたは複数のＨＴ−ＳＩＧフィールドは、π／２−ＢＰＳＫ（２相位相変調）変調を使用して送信される、
請求項６９に記載の装置。
【請求項７７】
ＶＨＴ−ＳＩＧフィールドのデータはプレコード化される、
請求項７０に記載の装置。
【請求項７８】
前記ＶＨＴ−ＳＩＧフィールドは、空間分割多元接続（ＳＤＭＡ）を使用して送信される、
請求項７０に記載の装置。
【請求項７９】
前記ＶＨＴ−ＳＩＧフィールドは前記ＶＨＴ−ロングトレーニングフィールド（ＶＨＴ−ＬＴＦ）のうちの１つの後で送信される、
請求項７０に記載の装置。
【請求項８０】
少なくとも１つの極めて高いスループットの信号フィールド（ＶＨＴ−ＳＩＧ）は、前記ＨＴ−ＳＩＧフィールドの少なくとも１つと同時に送信される、
請求項６８に記載の装置。
【請求項８１】
前記ＶＨＴ−ＳＩＧフィールドは、２相位相変調（ＢＰＳＫ）、π／２−ＰＡＭ（パルス振幅変調）またはスケールされたＢＰＳＫ変調のうちの１つを利用して送信される、
請求項８０に記載の装置。
【請求項８２】
ＶＨＴ−ＳＩＧフィールドは、１つまたは複数のＶＨＴ−ＬＴＦ（ロングトレーニングフィールド）の後で送信される、
請求項８０に記載の装置。
【請求項８３】
前記ＶＨＴ−ＳＩＧフィールドは、１つまたは複数のサブキャリアを通じて送信される、
請求項８０に記載の装置。
【請求項８４】
前記ＶＨＴ−ＳＩＧフィールドは、シーケンスを使用する前記サブキャリアに分散され、前記シーケンスは、ウォルシュコード、ゴーレイコードまたは相補的コードキーイング（ＣＣＫ）を備える、
請求項８３に記載の装置。
【請求項８５】
ワイヤレス通信のための装置であって、
フレーム構造を備える信号を受信するための手段と、ここにおいて、前記フレーム構造は、ワイヤレスノードの第１のグループによって復号化可能な第１の部分および同時に起こるマルチユーザ通信ができるワイヤレスノードの第２のグループによって復号化可能な第２の部分を備える、
前記受信信号の情報に基づいて前記信号の送信モードを検出するための手段と
を備える、装置。
【請求項８６】
前記第１の部分は、レガシショートトレーニングフィールド（Ｌ−ＳＴＦ）、ロングトレーニングフィールド（Ｌ−ＬＴＦ）、レガシ信号フィールド（Ｌ−ＳＩＧ）、および２つの高いスループットの信号（ＨＴ−ＳＩＧ）フィールドを備える、
請求項８５に記載の装置。
【請求項８７】
前記フレーム構造の前記第２の部分は、極めて高いスループットのショートトレーニングフィールド（ＶＨＴ−ＳＴＦ）、少なくとも１つのＶＨＴ−ロングトレーニングフィールド（ＶＨＴ−ＬＴＦ）、ＶＨＴ信号フィールド（ＶＨＴ−ＳＩＧ）を備える、
請求項８５に記載の装置。
【請求項８８】
前記フレーム構造の前記第２の部分は、プレコード化される、
請求項８５に記載の装置。
【請求項８９】
前記ノードの第１のグループは、電気電子学会（ＩＥＥＥ）８０２．１１ａ／ｇ、ＩＥＥＥの８０２．１１ｎまたはＩＥＥＥ８０２．１１ａｃ規格のうちの１つに従う、
請求項８５に記載の装置。
【請求項９０】
前記ノードの第２のグループは、電気電子学会（ＩＥＥＥ）８０２．１１ａｃ規格に従う、
請求項８５に記載の装置。
【請求項９１】
前記ＶＨＴ−ＳＩＧフィールドは、π／２−ＢＰＳＫ（２相位相変調）変調を使用して送信される、
請求項８７に記載の装置。
【請求項９２】
ＶＨＴ−ＳＩＧフィールドのデータは、プレコード化される、
請求項８７に記載の装置。
【請求項９３】
前記ＶＨＴ−ＳＩＧフィールドは、空間分割多元接続（ＳＤＭＡ）を使用して送信される、
請求項８７に記載の装置。
【請求項９４】
前記ＶＨＴ−ＳＩＧフィールドは、前記ＶＨＴ−ロングトレーニングフィールド（ＶＨＴ−ＬＴＦ）のうちの１つの後で受信される、
請求項８７に記載の装置。
【請求項９５】
少なくとも１つの極めて高いスループットの信号フィールド（ＶＨＴ−ＳＩＧ）は、前記ＨＴ−ＳＩＧフィールドの少なくとも１つと同時に受信される、
請求項８６に記載の装置。
【請求項９６】
前記ＶＨＴ−ＳＩＧフィールドは、２相位相変調（ＢＰＳＫ）、π／２−ＰＡＭ（パルス振幅変調）、またはスケールされたＢＰＳＫ変調のうちの１つを利用して送信される、
請求項９５に記載の装置。
【請求項９７】
ＶＨＴ−ＳＩＧフィールドは、１つまたは複数のＶＨＴ−ＬＴＦ（ロングトレーニングフィールド）の後で受信される、
請求項９６に記載の装置。
【請求項９８】
前記ＶＨＴ−ＳＩＧフィールドは、１つまたは複数のサブキャリアを通じて送信される、
請求項９６に記載の装置。
【請求項９９】
前記ＶＨＴ−ＳＩＧフィールドは、シーケンスを使用する前記サブキャリアに分散され、前記シーケンスは、ウォルシュコード、ゴーレイコード、または相補的コードキーイング（ＣＣＫ）を備える、
請求項９８に記載の装置。
【請求項１００】
ワイヤレスノードの第１のグループによって復号化可能な第１の部分、および同時に起こるマルチユーザ通信をすることができるワイヤレスノードの第２のグループによって復号化可能な第２の部分を含むフレーム構造を生成することと、
前記複数のデバイスにフレーム構造を送信することと
を実行可能な命令を備えるコンピュータ可読媒体を備える、
ワイヤレス通信のためのコンピュータプログラム製品。
【請求項１０１】
フレーム構造を備える信号を受信することと、ここにおいて、前記フレーム構造は、ワイヤレスノードの第１のグループによって復号化可能な第１の部分および同時に起こるマルチユーザ通信ができるワイヤレスノードの第２のグループによって復号化可能な第２の部分を備える、
前記受信信号の情報に基づいて前記信号の送信モードを検出することと
を実行可能な命令を備えるコンピュータ可読媒体を備える、
ワイヤレス通信のためのコンピュータプログラム製品。
【請求項１０２】
複数のアンテナと、
ワイヤレスノードの第１のグループによって復号化可能な第１の部分、および同時に起こるマルチユーザ通信をすることができるワイヤレスノードの第２のグループによって復号化可能な第２の部分を含むフレーム構造を生成するように構成された回路と、
前記複数のアンテナを介して、前記複数のデバイスにフレーム構造を送信するように構成された送信機と
を備えるアクセスポイント。
【請求項１０３】
少なくとも１本のアンテナと、
前記少なくとも１本のアンテナを介して、フレーム構造を備える信号を受信するように構成された受信機と、ここにおいて、前記フレーム構造は、ワイヤレスノードの第１のグループによって復号化可能な第１の部分および同時に起こるマルチユーザ通信ができるワイヤレスノードの第２のグループによって復号化可能な第２の部分を備える、
前記受信信号の情報に基づいて前記信号の送信モードを検出するように構成された回路と
を備える、ワイヤレスノード。
【発明の詳細な説明】
【関連出願】
【０００１】
本特許出願は、本出願の譲受人に譲渡され、参照により本明細書に組み込まれ、２００９年６月２５日に出願された、「MIMO and MU-MIMO OFDM Preambles,」と題される米国仮特許出願第６１／２２０，９９１号の利益および２００９年９月２日に出願された「MIMO and MU-MIMO OFDM Preambles,」と題された米国仮特許出願第６１／２３９，１５２号の利益を主張する。
【技術分野】
【０００２】
本開示のある態様は、一般にプリアンブルのワイヤレス通信に関し、より詳細には、多入力多出力（ＭＩＭＯ）およびマルチユーザ（ＭＵ）−ＭＩＭＯ直交周波数分割多重（ＯＦＤＭ）システムのためのプリアンブルの設計に関する。
【背景技術】
【０００３】
ワイヤレス通信システムが求められている帯域幅要件を増やす問題に取り組むために、異なるスキームは、高いデータスループットを達成しながらチャネルリソースを共有することにより単一アクセスポイントと複数のユーザ端末が通信することを可能にするように発展している。多入力または他出力（ＭＩＭＯ）技法は、次世代通信システムの普及した技法として最近現れたアプローチの１つを表す。ＭＩＭＯ技法は、電気電子学会（ＩＥＥＥ）８０２．１１規格のようないくつかの新興のワイヤレス通信規格に採用されている。ＩＥＥＥ８０２．１１は、短距離通信（例えば、数十メートルから数百メートル）のためのＩＥＥＥ８０２．１１コミッティによって開発されたワイヤレスローカルエリアネットワーク（ＷＬＡＮ）無線インターフェース規格のセットを表わす。
【０００４】
ＭＩＭＯシステムは、データ送信のために、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ，ＮＲ｝である。ＮＳ個の独立チャネルの各々は、次元に相当する。複数の送信アンテナおよび受信アンテナによって生成される追加の次元が利用される場合、ＭＩＭＯシステムは、（例えば、より高いスループットおよび／またはより高い信頼性のような）向上されたパフォーマンスを与える。
【０００５】
シングルアクセスポイント（ＡＰ）および複数の局（ＳＴＡ）を持ったワイヤレスネットワークにおいて、同時送信は、アップリンクおよびダウンリンクの方向の両方で異なる局に多重チャネルに生じ得る。多くのチャレンジがそのようなシステムにおいて示される。例えば、アクセスポイントは、ＩＥＥＥ８０２．１１、ｎ／ａ／ｂ／ｇまたはＩＥＥＥ８０２．１１ａｃ規格のような異なる規格を使用する信号を送信し得る。受信機は、パケットのプリアンブルに含まれた情報に基づいて信号の送信モードを検出することができるべきである。
【発明の概要】
【０００６】
本開示のある態様は、ワイヤレス通信のための方法を提供する。方法は、概して、ワイヤレスノードの第１のグループによって復号化可能な第１の部分、および同時に起こるマルチユーザ通信をすることができるワイヤレスノードの第２のグループによって復号化可能な第２の部分を含むフレーム構造を生成することと、複数のデバイスにフレーム構造を送信することとを含む。
【０００７】
本開示のある態様は、ワイヤレス通信のための方法を提供する。方法は、概して、フレーム構造を備える信号を受信することと、ここにおいて、フレーム構造は、ワイヤレスノードの第１のグループによって復号化可能な第１の部分、および同時に起こるマルチユーザ通信をすることができるワイヤレスノードの第２のグループによって復号化可能な第２の部分を含む、受信信号の情報に基づいて信号の送信モードを検出することとを含む。
【０００８】
本開示のある態様はワイヤレス通信のために装置を提供する。装置は、概して、ワイヤレスノードの第１のグループによって復号化可能な第１の部分、および同時に起こるマルチユーザ通信をすることができるワイヤレスノードの第２のグループによって復号化可能な第２の部分を含むフレーム構造を生成するように構成された回路と、複数のデバイスにフレーム構造を送信するように構成された送信機とを含む。
【０００９】
本開示のある態様は、ワイヤレス通信のための装置を提供する。装置は、概して、フレーム構造を備える信号を受信するように構成された受信機と、ここにおいて、フレーム構造は、ワイヤレスノードの第１のグループによって復号化可能な第１の部分、および同時に起こるマルチユーザ通信をすることができるワイヤレスノードの第２のグループによって復号化可能な第２の部分を含む、受信信号の情報に基づいて信号の送信モードを検出するように構成された回路とを含む。
【００１０】
本開示のある態様は、ワイヤレス通信のための装置を提供する。装置は、概して、ワイヤレスノードの第１のグループによって復号化可能な第１の部分、および同時に起こるマルチユーザ通信をすることができるワイヤレスノードの第２のグループによって復号化可能な第２の部分を含むフレーム構造を生成するための手段と、複数のデバイスにフレーム構造を送信するための手段とを含む。
【００１１】
本開示のある態様は、ワイヤレス通信のための装置を提供する。装置は、概して、フレーム構造を備える信号を受信するための手段と、ここにおいて、フレーム構造は、ワイヤレスノードの第１のグループによって復号化可能な第１の部分、および同時に起こるマルチユーザ通信をすることができるワイヤレスノードの第２のグループによって復号化可能な第２の部分を含む、受信信号の情報に基づいて信号の送信モードを検出するための手段とを含む。
【００１２】
本開示のある態様はワイヤレス通信のためにコンピュータプログラム製品を提供する。コンピュータプログラム製品は、ワイヤレスノードの第１のグループによって復号化可能な第１の部分、および同時に起こるマルチユーザ通信をすることができるワイヤレスノードの第２のグループによって復号化可能な第２の部分を含むフレーム構造を生成することと、複数のデバイスにフレーム構造を送信することとを実行可能な命令を備えるコンピュータ可読媒体を含む。
【００１３】
本開示のある態様はワイヤレス通信のためにコンピュータプログラム製品を提供する。コンピュータプログラム製品は、フレーム構造を備える信号を受信することと、ここにおいて、フレーム構造は、ワイヤレスノードの第１のグループによって復号化可能な第１の部分、および同時に起こるマルチユーザ通信をすることができるワイヤレスノードの第２のグループによって復号化可能な第２の部分を含む、受信信号の情報に基づいて信号の送信モードを検出することとを実行可能な命令を備えるコンピュータ可読媒体を含む。
【００１４】
本開示のある態様はアクセスポイントを提供する。アクセスポイントは、概して、複数のアンテナと、ワイヤレスノードの第１のグループによって復号化可能な第１の部分、および同時に起こるマルチユーザ通信をすることができるワイヤレスノードの第２のグループによって復号化可能な第２の部分を含むフレーム構造を生成するように構成された回路と、複数のアンテナを介して、複数のデバイスにフレーム構造を送信するように構成された送信機とを含む。
【００１５】
本開示のある態様は、ワイヤレスノードを提供する。ワイヤレスノードは、概して、少なくとも１本のアンテナと、少なくとも１本のアンテナを介して、フレーム構造を備える信号を受信するように構成された受信機と、ここにおいて、フレーム構造は、ワイヤレスノードの第１のグループによって復号化可能な第１の部分、および同時に起こるマルチユーザ通信をすることができるワイヤレスノードの第２のグループによって復号化可能な第２の部分を含む、受信信号の情報に基づいて信号の送信モードを検出するように構成された回路とを含む。
【図面の簡単な説明】
【００１６】
本開示の上記に列挙された特徴における手法が理解することができるように、上で簡潔に要約されたよりも多くの詳細な説明は、態様への言及を有し得る。その態様のうちのいくつかは、添付の図面で説明される。しかしながら、この記載は、その他の等しく有効な態様に対しても当てはまるので、添付図面は、本開示のある典型的な態様のみを示しており、この範囲を限定するものとして考慮されないことが注目されるべきである。
【図１】図１は、本開示のある態様に従うワイヤレス通信ネットワークの図を説明する。
【図２】図２は、本開示のある態様に従う例示のアクセスポイントおよびユーザ端末のブロック図を説明する。
【図３】図３は、本開示のある態様に従う例示のワイヤレスデバイスのブロック図を説明する。
【図４】図４は、電気電子学会（ＩＥＥＥ）８０２．１１ｎ規格に従う混合モードのプリアンブル構造を説明する。
【図５】図５は、２相位相変調（ＢＰＳＫ）およびπ／２−ＢＰＳＫ変調で送信される、プリアンブルのレガシ信号（Ｌ−ＳＩＧ）および高いスループットの信号（ＨＴ−ＳＩＧ）領域における例示のデータを説明する。
【図６】図６は、本開示のある対応に従う、ＩＥＥＥ８０２．１１ｎ／ａ／ｂ／ｇに加えて極めて高いスループットの（ＶＨＴ）ＩＥＥＥ８０２．１１ａｃをサポートする提案されたプリアンブル構造を説明する。
【図７】図７は、本開示のある対応に従う、ＩＥＥＥ８０２．１１ｎ／ａ／ｂ／ｇに加えて極めて高いスループット（ＶＨＴ）のＩＥＥＥ８０２．１１ａｃをサポートする第２の提案されたプリアンブル構造を説明する。
【図８Ａ】図８Ａは、本開示のある態様に従う、異なる変調スキームを同時に使用するＨＴ−ＳＩＧおよびＶＨＴ−ＳＩＧシンボルを送信する例を説明する。
【図８Ｂ】図８Ｂは、本開示のある態様に従う、異なる変調スキームを同時に使用するＨＴ−ＳＩＧおよびＶＨＴ−ＳＩＧシンボルを送信する例を説明する。
【図８Ｃ】図８Ｃは、本開示のある態様に従う、異なる変調スキームを同時に使用するＨＴ−ＳＩＧおよびＶＨＴ−ＳＩＧシンボルを送信する例を説明する。
【図９】図９は、本開示のある対応に従う、ＩＥＥＥ８０２．１１ｎ／ａ／ｂ／ｇに加えて極めて高いスループット（ＶＨＴ）のＩＥＥＥ８０２．１１ａｃをサポートする第３の提案されたプリアンブル構造を説明する。
【図１０】図１０は、本開示のある対応に従う、ＩＥＥＥ８０２．１１ｎ／ａ／ｂ／ｇに加えて極めて高いスループット（ＶＨＴ）のＩＥＥＥ８０２．１１ａｃをサポートする第４の提案されたプリアンブル構造を説明する。
【図１１】図１１は、本開示のある態様に従う、複数の規格をサポートするプリアンブル構造を生成するための例示の動作を説明する。
【図１１Ａ】図１１Ａは、図１１に示された動作を実行することができる例示のコンポーネントを説明する。
【図１２】図１２は、本開示のある態様に従うプリアンブル構造の情報に基づいて信号の送信モードを検出するための例示の動作を説明する。
【図１２Ａ】図１２Ａは、図１２に示される動作を実行することができる例示のコンポーネントを説明する。
【発明を実施するための形態】
【００１７】
本開示のある態様のさまざまな態様は、後述される。本明細書における教示は、さまざまな広範な形態で具体化され、本明細書で開示されているあらゆる具体的な構成、機能、またはこれら両方は、単に代表例であることが明らかであるべきである。本明細書における教示に基づいて、当業者であれば、本明細書に開示された態様は、その他任意の態様と独立して実施され、これら態様のうちの複数は、さまざまな方式で組み合わされうることを認識すべきである。例えば、本明細書に記載された任意の数の態様を用いて装置が実施され、方法が実現されうる。さらに、このような装置またはこのような方法は、本明細書に記載された態様のうちの１または複数に追加されたその他の構成、機能、または、構成と機能を用いて、あるいは、本明細書に記載されたものとは異なる態様のうちの１または複数を用いて実現されうる。さらに、態様は、特許請求の範囲のうちの少なくとも１つのコンポーネントを含みうる。
【００１８】
用語「典型的」は、「例、事例または例証として役に立つこと」を意味するために本明細書に使用される。本明細書において「典型的」と記載されるいかなる態様も、他の態様に対して好適であるとか、有利であると必ずしも解釈される必要はない。さらに、本明細書に使用されるように、用語「レガシ局」は、概して電気電子学会（ＩＥＥＥ）８０２．１１ｎまたはＩＥＥＥ８０２．１１規格の旧バージョンをサポートするワイヤレスネットワークノードを指す。
【００１９】
本明細書に説明されたマルチアンテナ送信技法は、符号分割多元接続（ＣＤＭＡ）、直交周波数分割多重（ＯＦＤＭ）、時間分割多元接続（ＴＤＭＡ）、空間分割多元接続（ＳＤＭＡ）などのような様々なワイヤレス技法と結合して使用されうる。複数のユーザ端末は、異なる、（１）ＣＤＭＡのための直交符号チャネル、（２）ＴＤＭＡのためのタイムスロット、または（３）ＯＦＤＭのためのサブバンド、を介してデータを同時に送信／受信することができる。ＣＤＭＡシステムは、ＩＳ−２０００、ＩＳ−９５、ＩＳ−８５６、広帯域ＣＤＭＡ（Ｗ−ＣＤＭＡ）または他のいくつかの規格を実施しうる。ＯＦＤＭシステムはＩＥＥＥ８０２．１１または他のいくつかの規格を実施しうる。ＴＤＭＡシステムは、ＧＳＭ（登録商標）または他のいくつかの規格を実施しうる。これらの様々な規格は、当業者に既知である。
【００２０】
例示のＭＩＭＯシステム  
図１は、アクセスポイントおよびユーザ端末を有する多元接続ＭＩＭＯシステム１００を説明する。簡潔さのために、１つのアクセスポイント１１０だけが図１に示される。アクセスポイント（ＡＰ）は、概して、ユーザ端末と通信し、基地局または他のある用語として称される固定局である。ユーザ端末は、固定式か可動式であり、移動局、局（ＳＴＡ）、クライアント、ワイヤレスデバイス、または他のある用語で称されうる。ユーザ端末は、携帯電話、携帯情報端末（ＰＤＡ）、ハンドヘルドデバイス、ワイヤレスモデム、ラップトップコンピュータ、パーソナルコンピュータなどのようなワイヤレスデバイスでありうる。
【００２１】
アクセスポイント１１０は、ダウンリンクおよびアップリンク上の所与の瞬間で１つまたは複数のユーザ端末１２０と通信しうる。ダウンリンク（つまり、フォワードリンク）は、アクセスポイントからユーザ端末への通信リンクであり、アップリンク（つまり、リバースリンク）は、ユーザ端末からアクセスポイントへの通信リンクである。ユーザ端末は、さらに別のユーザ端末とピアツーピア通信しうる。システム制御器１３０は、アクセスポイントに連結され、アクセスポイントのために調整および制御を提供する。
【００２２】
システム１００は、ダウンリンクおよびアップリンク上のデータ送信のために複数の送信および複数の受信アンテナを用いる。アクセスポイント１１０は、Ｎａｐ個のアンテナを備えており、アップリンク送信のための多入力（ＭＩ）とダウンリンク送信のための多出力（ＭＯ）を表わす。選択されたユーザ端末１２０のうちのＮｕ個のセットは、ダウンリンク送信のための多出力およびアップリンク伝送のための多入力の合計を表わす。ある場合において、Ｎｕ個のユーザ端末のためのデータシンボルストリームがある手段によってコード、周波数または時間で多重化されない場合、Ｎａｐ≧Ｎｕ≧１を有することが望ましくなりうる。データシンボルストリームがＣＤＭＡで異なるコードチャネルを使用して多重化される、ＯＦＤＭでサブバンドのばらばらのセットを使用して多重化されるなどの場合、Ｎｕは、Ｎａｐより大きくなりうる。選択された各ユーザ端末は、アクセスポイントにユーザ特有のデータを送信するおよび／またはアクセスポイントからユーザ特有のデータを受信する。一般に、選択されたユーザ端末それぞれは、１または複数のアンテナ（つまりＮｕｔ≧１）を備えうる。選択されたＮｕ個のユーザ端末は、同数または異なる数のアンテナを有することができる。
【００２３】
ＭＩＭＯシステム１００は、時分割二重（ＴＤＤ）システムまたは周波数分割二重（ＦＤＤ）システムでありうる。ＴＤＤシステムに対して、ダウンリンクおよびアップリンクは、同じ周波数帯域を共有する。ＦＤＤシステムに対して、ダウンリンクおよびアップリンクは、異なる周波数帯域を使用する。ＭＩＭＯシステム１００は、さらに送信のために単一のキャリアまたは複数のキャリアを利用しうる。各ユーザ端末は、（例えばコストを抑えるために）単一のアンテナ、または（例えば追加費用をサポートすることができる場合に）複数のアンテナを備えうる。
【００２４】
図２は、ＭＩＭＯシステム１００における、アクセスポイント１１０および２つのユーザ端末１２０ｍおよび１２０ｘのブロック図を示す。アクセスポイント１１０は２２４ａｐを通じてＮａｐ個のアンテナ２２４ａを装備している。ユーザ端末１２０ｍはＮｕｔ，ｍ個のアンテナ２５２ｍａから２５２ｘｕを備え、ユーザ端末１２０ｘは、Ｎｕｔ，ｘ個のアンテナ２５２ｘａから２５２ｘｕを備える。アクセスポイント１１０は、ダウンリンクのための送信エンティティおよびアップリンクのための受信エンティティである。各ユーザ端末１２０は、アップリンクのための送信エンティティおよびダウンリンクのための受信エンティティである。本明細書に使用されるように、「送信エンティティ」は、周波数チャネルを介してデータを送信することができる、独立して動作する装置またはデバイスであり、「受信エンティティ」は、周波数チャネルを介してデータを受信することができる、独立して動作する装置またはデバイスである。以下の説明において、下付記号「ｄｎ」は、ダウンリンクを表し、下付記号「ｕｐ」は、アップリンクを表し、Ｎｕｐ個のユーザ端末は、アップリンク上の同時送信のために選択され、Ｎｄｎ個のユーザ端末は、ダウンリンク上の同時送信のために選ばれ、Ｎｕｐは、Ｎｄｎに等しいまたは等しくなく、ＮｕｐおよびＮｄｎは、静的な値であるか、各スケジューリング間隔で変化することができる。ビームステアリングまたは他のある空間処理技法は、アクセスポイントおよびユーザ端末で使用されうる。
【００２５】
アップリンクについて、アップリンク送信のために選択された各ユーザ端末１２０では、ＴＸデータ処理装置２８８は、データ送信装置２８６からトラフィックデータを受信し、制御器２８０から制御データを受信する。ＴＸデータ処理装置２８８は、ユーザ端末のために選択されたレートに関連するコーディングスキームおよび変調スキームに基づいてユーザ端末のためのトラフィックデータ｛ｄｕｐ，ｍ｝を処理し（例えば、符号化し、インターリーブし、変調する）、データシンボルストリーム｛ｓｕｐ，ｍ｝を提供する。ＴＸ空間プロセッサ２９０は、データシンボルストリーム｛ｓｕｐ，ｍ｝上で空間処理を実行し、Ｎｕｔ，ｍ個のアンテナのためにＮｕｔ，ｍ個の送信シンボルを提供する。各送信機ユニット（ＴＭＴＲ）２５４は、アップリンク信号を生成するために、それぞれの送信シンボルストリームを受信し処理する（例えば、アナログに変換し、増幅し、フィルタに掛け、周波数アップコンバートする）。Ｎｕｔ，ｍ個の送信機ユニット２５４は、Ｎｕｔ，ｍ個のアンテナ２５２からアクセスポイント１１０への送信のためにＮｕｔ，ｍ個のアップリンク信号を提供する。
【００２６】
Ｎｕｐ個のユーザ端末は、アップリンク上の同時送信のためにスケジュールされうる。これらのユーザ端末の各々は、そのデータシンボルストリーム上で空間処理を実行し、アクセスポイントへのアップリンク上の送信シンボルストリームのそのセットを送信する。
【００２７】
アクセスポイント１１０で、Ｎａｐ個のアンテナ２２４ａから２２４ａｐは、アップリンク上で送信するすべてのＮｕｐ個のユーザ端末からのアップリンク信号を受信する。各アンテナ２２４は、それぞれの受信ユニット（ＲＣＶＲ）２２２に受信信号を提供する。各受信ユニット２２２は、送信機ユニット２５４によって実行されたのと相補的な処理を実行し、受信シンボルストリームを提供する。ＲＸ空間プロセッサ２４０は、Ｎａｐ個の受信ユニット２２２からのＮａｐ個の受信シンボルストリーム上で受信機空間処理を実行し、Ｎｕｐ個の復元されたアップリンクデータシンボルストリームを提供する。受信機空間処理は、チャネル相関行列反転（ＣＣＭＩ：channel correlation matrix inversion）、最小平均二乗誤差（ＭＭＳＥ）、逐次干渉キャンセラ（ＳＩＣ：successive interference cancellation）または他のある技法に従って実行される。復元されたアップリンクデータシンボルストリーム｛ｓｕｐ，ｍ｝各々は、それぞれのユーザ端末によって送信されたデータシンボルストリーム｛ｓｕｐ，ｍ｝の推定値である。ＲＸデータ処理装置２４２は、復号化データを取得するために、そのストリームに使用されたレートに従って復元されたアップリンクデータシンボルストリーム｛ｓｕｐ，ｍ｝各々を処理する（例えば、復調し、デインターリブし、復号化する）。各ユーザ端末のための復号化データは、記憶のためのデータシンク２４４および／またはさらなる処理のための制御器２３０が提供される。
【００２８】
ダウンリンクについて、アクセスポイント１１０では、ＴＸデータ処理装置２１０は、ダウンリンク送信のためにスケジュールされたＮｄｎ個のユーザ端末のためのデータソース２０８からのトラフィックデータ、制御器からの制御データ、およびことによるとスケジューラ２３４からの他のデータを受信する。様々なタイプのデータは、異なるトランスポートチャネル上で送信されうる。ＴＸデータプロセッサは、ユーザ端末のために選択されたレートに基づいて各ユーザ端末のためのトラフィックデータを処理する（例えば、符号化し、インターリーブし、変調する）。ＴＸデータプロセッサ２１０は、Ｎｄｎ個のユーザ端末のためにＮｄｎ個のダウンリンクデータシンボルストリームを提供する。ＴＸ空間プロセッサ２２０は、Ｎｄｎ個のダウンリンクデータシンボルストリーム上で空間処理を実行し、Ｎａｐ個のアンテナのためのＮａｐ個の送信シンボルを送信する。各送信機ユニット（ＴＭＴＲ）２２２は、ダウンリンク信号を生成するためにそれぞれの送信シンボルストリームを受信し処理する。Ｎａｐ個の送信機ユニット２２２は、Ｎａｐ個のアンテナ２２４からユーザ端末への送信のためにＮａｐ個のダウンリンク信号を提供する。
【００２９】
各ユーザ端末１２０では、Ｎｕｔ，ｍ個のアンテナ２５２は、アクセスポイント１１０からＮａｐ個のダウンリンク信号を受信する。各受信機ユニット（ＲＣＶＲ）２５４は、関連するアンテナ２５２からの受信信号を処理し、受信シンボルストリームを提供する。ＲＸ空間プロセッサ２６０は、Ｎｕｔ，ｍ受信機ユニット２５４からのＮｕｔ，ｍ個の受信シンボルストリーム上で受信機空間処理を実行し、ユーザ端末のための復元されたダウンリンクデータシンボルストリーム｛ｓｄｎ，ｍ｝を提供する。受信機空間処理は、ＣＣＭＩ、ＭＭＳＥまたは他のある技法に従って実行される。ＲＸデータプロセッサ２７０は、ユーザ端末のための復号化データを取得するために、復元されたダウンリンクデータシンボルストリームを処理する（例えば、復調し、デインターリブし、復号化する）。
【００３０】
各ユーザ端末１２０で、Ｎｕｔ，ｍ個のアンテナ２５２は、アクセスポイント１１０からのＮａｐ個のダウンリンク信号を受信する。各受信機ユニット（ＲＣＶＲ）２５４は、関連するアンテナ２５２からの受信信号を処理し、受信シンボルストリームを提供する。ＲＸ空間プロセッサ２６０は、Ｎｕｔ，ｍ個の受信ユニット２５４からのＮｕｔ，ｍ個の受信シンボルストリーム上で受信機空間処理を実行し、ユーザ端末のために復元されたダウンリンクデータシンボルストリーム｛ｓｄｎ，ｍ｝を提供する。受信機空間処理は、ＣＣＭＩ、ＭＭＳＥまたは他のある技法に従って実行される。ＲＸデータプロセッサ２７０は、ユーザ端末のための復号化データを取得するために、復元されたダウンリンクデータシンボルストリームを処理する（例えば、復調し、デインターリブし、復号化する）。
【００３１】
図３は、システム１００内で用いられるワイヤレスデバイス３０２に利用されうる様々なコンポーネントを説明する。ワイヤレスデバイス３０２は、本明細書で説明されるさまざまな方法を実施するために構成され得るデバイスの例である。ワイヤレスデバイス３０２は、アクセスポイント１１０またはユーザ端末１２０でありうる。
【００３２】
ワイヤレスデバイス３０２は、ワイヤレスデバイス３０２の動作を制御するプロセッサ３０４を含みうる。このプロセッサ３０４は、中央制御装置（ＣＰＵ）とも称されうる。読取専用メモリ（ＲＯＭ）とランダムアクセスメモリ（ＲＡＭ）との両方を含むことができるメモリ３０６は、プロセッサ３０４に命令およびデータを提供する。メモリ３０６の一部は、不揮発性ランダムアクセスメモリ（ＮＶＲＡＭ）を含むこともできる。プロセッサ３０４は、通常、メモリ３０６に格納されたプログラム命令に基づいて、ロジック演算および算術演算を実行する。本明細書で説明される方法を実施するために、メモリ３０６内の命令を実行可能とすることができる。
【００３３】
ワイヤレスデバイス３０２は、さらにワイヤレスデバイス３０２と遠隔地との間のデータの送信および受信を許容するために送信機３１０および受信機３１２を含んでもよいハウジング３０８を含みうる。送信機３１０および受信機３１２は、トランシーバ３１４に組み込みこまれうる。複数の送信アンテナ３１６は、ハウジング３０８に取り付けられ、トランシーバ３１４と電気的に接続されうる。無線デバイス３０２は、また（図示しない）複数の送信機、複数の受信機、および複数のトランシーバを含みうる。
【００３４】
ワイヤレスデバイス３０２は、さらにトランシーバ３１４によって受信された信号のレベルを検出し定量化する目的で使用される信号検出器３１８を含みうる。信号検出器３１８は、合計エネルギー、シンボル毎サブキャリア毎のエネルギー、電力スペクトル密度、およびその他の信号のような信号を検出しうる。無線デバイス３０２は、さらに信号を処理する際に使用されるデジタル信号プロセッサ（ＤＳＰ）３２０を含むことができる。
【００３５】
ワイヤレスデバイス３０２の様々なコンポーネントは、バスシステム３２２によって連結される。バスシステム３２２は、データバスに加えて電力バス、制御信号バス、および状態信号バスを含みうる。
【００３６】
当業者は、本明細書に説明された技法がＳＤＭＡ、ＯＦＤＭＡ、ＣＤＭＡ、ＳＤＭＡおよびそれらの組み合わせのような任意のタイプの多元接続スキームを利用するシステムに一般に適用されうることを認識することになる。
【００３７】
ＭＩＭＯおよびＭＵ−ＭＩＭＯ  ＯＦＤＭプリアンブル  
本開示のある態様は、ＩＥＥＥ８０２．１１ａ／ｂ／ｇ／ｎ規格における既存のワイヤレスローカルエリアネットワーク（ＷＬＡＮ）の機能性を越える追加の機能性をサポートする新規なプリアンブル構造を提供する。追加の機能性は、８０ＭＨｚのようなより広い帯域幅のためのサポートと、２５６ＱＡＭ（直交振幅変調）のようなより高次の変調と、ダウンリンク−空間分割多元接続（ＤＬ−ＳＤＭＡ）およびアップリンク（ＵＬ）−ＳＤＭＡのようなマルチユーザ空間処理とを含みうる。
【００３８】
ＳＤＭＡにおいて、データフレームは、並列に複数の受信機に送信されうる。受信機は、同時に起こるマルチユーザ通信をサポートする新規のデバイスと単にＩＥＥＥ８０２．１１ｎ／ａ／ｇ規格をサポートするレガシデバイスを含みうる。レガシデバイスは、ＳＤＭＡおよび／またはマルチユーザ多入力多出力（ＭＵ−ＭＩＭＯ）のような同時に起こるマルチユーザ通信をサポートできない。本明細書で取り組まれた１つのチャレンジは、レガシデバイスとの後方互換性を残す一方で物理層における新規の特徴をサポートするデータフレームの初めにプリアンブルをどのように生成し送るかである。
【００３９】
新規の物理層（ＰＨＹ）プリアンブルは、基地局と（例えば、時間、受信（ＲＸ）利得および周波数に関して）同期し、チャネル応答を決定し、送信の長さを決定し、変調および帯域幅の特性を決定する情報を受信機に提供しうる。
【００４０】
新規のデバイスとレガシデバイスとの両方をサポートするために、プリアンブル構造は、以下の特性の組み合わせを含みうる：  ｉ）シングルユーザＭＩＭＯ、送信ビームフォーミング、ＤＬ−ＳＤＭＡおよびＵＬ−ＳＤＭＡのような、すべての重要なＰＨＹモードのための統合された、単一のプリアンブルフォーマットを有すること。  ｉｉ）ロバストなキャリアセンスおよびチャネル推定性能を有すること。  ｉｉｉ）レガシデバイスが指定された時間の間それらの送信を遅らせることを許容する情報を提供すること。  ｉｖ）４０ＭＨｚより大きな帯域幅をサポートすること。  ｖ）４つ以上の時空間ストリームをサポートすること。  ｖｉ）ＩＥＥＥ８０２．１１ｎ従う受信機にできるだけ近い受信機設計をサポートすること。  ｖｉｉ）ＩＥＥＥ８０２．１１ａと、ＩＥＥＥ８０２．１１ｎ（混合モード（ＭＭ）およびグリーンフィールド（ＧＦ）モードの両方）と、新規のプリアンブルとの間の自動検出をサポートすること。  ｖｉｉｉ）  サブチャネルで検出および延期（detection and deferral）をサポートすること。  ｉｘ）小さな全長を有すること。
【００４１】
図４は、ＩＥＥＥ８０２．１１ｎ規格における混合モードプリアンブル構造を説明する。説明されるように、プリアンブルは、ショートトレーニングフィールド（Ｌ−ＳＴＦ）４０２、ロングトレーニングフィールド（Ｌ−ＬＴＦ）４０４および信号（Ｌ−ＳＩＧ）フィールド４０６を含む、レガシ信号部分を有する。信号部分は、同期、チャネル応答を決定し、Ｌ−ＳＩＧフィールドのデータを復号化するためにＩＥＥＥ８０２．１１ａ／ｇ規格に従うレガシデバイスを許容する。
【００４２】
Ｌ−ＳＩＧフィールド４０６におけるデータは２相位相変調（ＢＰＳＫ）変調を使用することがシグナルされ、パケットのデータ部分およびペイロードのバイト数のために使用されたデータレートに関する情報を含む。受信機は、Ｌ−ＳＩＧフィールドに含まれた情報に基づいて媒体への任意の送信を遅らせるためのパケットの長さを計算しうる。ＩＥＥＥ  ８０２．１１ａ／ｇ受信機は、ＢＰＳＫ、４相位相変調（ＱＰＳＫ）、１６ＱＡＭまたは６４ＱＡＭ変調のうちの１つを含む、Ｌ−ＳＩＧフィールド４０６の後で直接データシンボルを見ることを期待しうる。
【００４３】
さらに、混合モードＩＥＥＥ８０２．１１ｎプリアンブルは、高いスループット（ＨＴ）−ＳＩＧ１  ４０８およびＨＴ−ＳＩＧ２  ４１０シンボルにおけるＩＥＥＥ８０２．１１ｎ規格をサポートするデバイスによって使用可能な情報を包含する。ＨＴ−ＳＩＧ１およびＨＴ−ＳＩＧ２シンボルは、パケットによって使用されるＩＥＥＥ８０２．１１ｎ規格の１つまたは複数の特徴に関する情報を包含する。特徴は、変調およびコーディングスキーム（ＭＣＳ）、ショートＧＩ（ガードインターバル）またはロングＧＩ、２０ＭＨｚまたは４０ＭＨｚの帯域幅、などを含みうる。さらに、ＨＴ−ＳＩＧ１フィールド４０８およびＨＴ−ＳＩＧ２フィールド４１０は、図５に示されるようなπ／２−ＢＰＳＫでシグナルされるあるデータを包含する。
【００４４】
図５は、ＢＰＳＫまたはπ／２−ＢＰＳＫ変調で送信されるフレームのＬ−ＳＩＧおよびＨＴ−ＳＩＧフィールドにおける例示のデータを説明する。パケットがＩＥＥＥ８０２．１１ａ／ｇまたはＩＥＥＥ８０２．１１ｎ規格と互換性を有するかどうか自動検出するために、π／２−ＢＰＳＫ変調で送信されたデータは、受信機によって使用される。
【００４５】
受信信号の送信モード（つまり、ＩＥＥＥ８０２．１１ａ／ｇ／ｎ規格のうちの１つに従う送信モード）を検出するために、受信機は、ＨＴ−ＳＩＧ１フィールド４０８およびＨＴ−ＳＩＧ２フィールド４１０が存在する時間のタイムスロットの信号コンステレーションをチェックしうる。Ｉ軸５０４と比較してＱ軸５０２上でよりエネルギーがある場合、フレームは、ＩＥＥＥ８０２．１１ｎ規格と互換性を有しうる。Ｉ軸と比較してＱ軸上でより少ないエネルギーがある場合、フレームは、ＩＥＥＥ８０２．１１ａ／ｇ規格と互換性を有しうる。
【００４６】
ＨＴ−ＳＩＧフィールド４０８および４１０におけるデータは、バイトを単位とするフレームの長さおよび誤り延期時間の可能性を著しく低減する８ビットの巡回冗長チェック（ＣＲＣ）コードを含みうる。
【００４７】
図４に示されるように、ＨＴ−ＳＩＧフィールドの後、受信機は、さらに受信利得をよくするためにＩＥＥＥ８０２．１１ｎ受信機によって使用されるＨＴ−ＳＴＦ（高いスループット−ショートトレーニングフィールド）４１２を受信する。受信信号の電力を増大する送信ビームフォーミングは、フレームの終わりまでＨＴ−ＳＴＦフィールドの送信のために使用される。ＩＥＥＥ８０２．１１ｎプリアンブルは、チャネル推定値を提供するための情報を提供する高いスループット−ロングトレーニングフィールド（ＨＴ−ＬＴＦ）４１４のフルセットを有する。ＩＥＥＥ８０２．１１ｎにおいて、ＨＴ−ＬＴＦ４１４フィールドが４つまで使用されうる。
【００４８】
図６は、本開示のある態様に従う、ＩＥＥＥ８０２．１１ｎ／ａ／ｂ／ｇ規格に加えて極めて高いスループット（ＶＨＴ）のＩＥＥＥ  ８０２．１１ａｃをサポートする提案されたプリアンブル構造を説明する。説明されるように、提案されたプリアンブル構造は、Ｌ−ＳＴＦ４０２、Ｌ−ＬＴＦ４０４、Ｌ−ＳＩＧ４０６、ＨＴ−ＳＩＧ１  ４０８およびＨＴ−ＳＩＧ２  ４１０フィールドを含むレガシ部分を包含する。
【００４９】
レガシ部分は、Ｌ−ＳＩＧフィールド４０６におけるデータに基づいて媒体の送信を遅らせる適正情報をＩＥＥＥ８０２．１１ａ／ｇデバイスに提供しうる。レガシ部分は、さらにＣＲＣチェックを含む、ＨＴ−ＳＩＧ１およびＨＴ−ＳＩＧ２フィールドに基づいてメディアの送信を遅らせるために適正情報でＩＥＥＥ８０２．１１ｎをサポートするデバイスを提供する。
【００５０】
さらに、図６のプリアンブル構造は、ＶＨＴ−ＳＴＦ６０２、ＶＨＴ−ＬＴＦ１フィールド６０４、ＶＨＴ−ＳＩＧフィールド６０６および１つまたは複数のＶＨＴ−ＬＴＦフィールドを含むプレコード化された部分を包含する。ＩＥＥＥ８０２．１１ａｃ規格をサポートするデバイスのためにプレコード化された部分が提供されるよう意図される。
【００５１】
ある態様に対して、ＶＨＴデバイス（つまりＩＥＥＥ８０２．１１ａｃ規格に従うデバイス）は、π／２−ＢＰＳＫ信号の存在有無をＶＨＴ−ＳＩＧフィールド６０６の時間エポック（time epoch）の間にチェックすることによって、ＩＥＥＥ８０２．１１ａｃパケットを検出する。それは、他の方法で、８０２．１１ｎのパケットの場合のＢＰＳＫ、ＱＰＳＫ、１６ＱＡＭまたは６４ＱＡＭになる。ＶＨＴ−ＳＩＧフィールドにおけるデータは、ＳＤＭＡを使用して、プレコード化され送信されるので、各クライアントは、固有のＶＨＴ−ＳＩＧフィールドを受信する。ＶＨＴ−ＳＩＧフィールド６０６は、ＶＨＴ−ＬＴＦ１フィールド６０４の後で送信されうる。受信機は、ＶＨＴ−ＳＩＧフィールドにおけるデータを正確に復調し復号化するためにＶＨＴ−ＬＴＦ１フィールドに含まれた情報を使用してチャネル（チャネルに加えてプレコーディング）を決定する。図６における示されたプリアンブル構造は、１６までのＶＨＴ−ＬＴＦフィールドをサポートしうる。
【００５２】
図６のプリアンブル構造は、ＤＬ−ＳＤＭＡをサポートする；  しかしながら、それは、ＵＬ−ＳＤＭＡをサポートしない。ＵＬ−ＳＤＭＡにおいて、１つまたは複数のクライアントによって送られたＶＨＴ−ＳＩＧフィールド６０６のデータは、各クライアントからのチャネル推定値を使用して、基地局で復調および復号化される必要がありうる。したがって、ＶＨＴ−ＳＩＧフィールド６０６は、プリアンブルの終わりにくる必要があり、第１のＶＨＴ−ＬＴＦフィールド６０４の後に直接くる必要はない。
【００５３】
図７は、本開示のある態様に従う、ＩＥＥＥ８０２．１１ｎ／ａ／ｂ／ｇ規格に加えて極めて高いスループット（ＶＨＴ）のＩＥＥＥ  ８０２．１１ａｃをサポートする第２の提案されたプリアンブル構造を説明する。説明されるように、提案されたプリアンブル構造は、Ｌ−ＳＴＦ  ４０２、Ｌ−ＬＴＦ  ４０４、Ｌ−ＳＩＧ  ４０６、Ｖ／ＨＴ−ＳＩＧ１  ７０２およびＶ／ＨＴ−ＳＩＧ２  ７０４フィールドを含むレガシ部分を含む。さらに、プリアンブル構造は、ＶＨＴ−ＳＴＦ  ６０２および１つまたは複数のＶＨＴ−ＬＴＦフィールド６０４とＶＨＴＳＩＧ３フィールド７０６を含むプレコード化された部分を含む。
【００５４】
図７に示されたプリアンブルは、２つの重要な特徴を加える一方、図６に示されたプリアンブルの特性をすべて保存しうる。第１に、ＶＨＴ−ＳＩＧフィールド（つまりＶＨＴ−ＳＩＧ３  ７０６）は、プリアンブルの終わりに存在することによって、ＵＬ−ＳＤＭＡをサポートする。第２に、あるＶＨＴ−ＳＩＧ情報は、それぞれＶ／ＨＴ−ＳＩＧ１  ７０２およびＶ／ＨＴ−ＳＩＧ２  ７０４フィールドの中にＨＴ−ＳＩＧ１およびＨＴ−ＳＩＧ２を合わせて伝えられうる。この情報は、オムニ様式で送信されうる。たとえば、ＶＨＴ−ＳＩＧは、マルチキャストを使用して、すべてのクライアントに送信されうる。
【００５５】
ある態様に対して、Ｖ／ＨＴ−ＳＩＧ１  ７０２およびＶ／ＨＴ−ＳＩＧ２  ７０４フィールドのＶＨＴデータは、ＩＥＥＥ８０２．１１ｎの受信機がＩＥＥＥ８０２．１１ａ／ｇパケットとＩＥＥＥ８０２．１１ｎのパケットとの間の差を検出する能力を維持するようにＨＴ−ＳＩＧフィールドのπ／２−ＢＰＳＫ変調と組み合わせて変調される。これは、π／２−ＢＰＳＫ受信機によって復調された実際のデータを変更せずに、ＨＴ−ＳＩＧフィールドに情報を加えることを意味する。ＶＨＴデータは、ＩＥＥＥ８０２．１１ｎの受信機がπ／２−ＢＰＳＫ変調を認識することができ、ＨＴ−ＳＩＧデータを復号化することができ、復号化データのＣＲＣチェックをパスすることができる方法に追加されるべきである。
【００５６】
本開示のある態様に対して、ＶＨＴ−ＳＩＧフィールドの中に送信されたデータは、通常のＢＰＳＫ、スケールされたＢＰＳＫ、スケールされたπ／２−ＢＰＳＫまたはπ／２−ＰＡＭ（パルス振幅変調）のような異なる変調スキームを利用して送信されうる。
【００５７】
ある態様に対して、ＶＨＴ−ＳＩＧフィールドで送信されたデータは、周波数にわたりコード化されうる。例えば、ＶＨＴ−ＳＩＧデータは、ＯＦＤＭ周波数のサブセット上のみで存在しうる。ＶＨＴ−ＳＩＧデータは、さらに反復コーディングを使用して複数のＯＦＤＭ周波数を通じて送信されうる。その上、ＶＨＴ−ＳＩＧデータは、ウォルシュコード、ゴーレイコード、相補的コードキーイングなど（ＣＣＫ：Complementary Code Keying）のようなシーケンスを使用して、１つまたは複数の周波数に分散されうる。
【００５８】
図８Ａ、８Ｂおよび８Ｃは、本開示のある態様に従う、異なる変調スキームを使用する、ＨＴ−ＳＩＧフィールドおよびＶＨＴ−ＳＩＧフィールドの（例えば、Ｖ／ＨＴ−ＳＩＧフィールド７０２の）データを送信する例を説明する。
【００５９】
図８Ａで説明されるように、ＢＰＳＫは、ＶＨＴ−ＳＩＧデータのために使用され、π／２−ＢＰＳＫで変調するＨＴ−ＳＩＧデータに直接加えられうる。ＯＦＤＭ周波数のうちのいくつかのみがＶＨＴ−ＳＩＧデータを有する限り、Ｖ／ＨＴ−ＳＩＧフィールドの主なエネルギーは、常にπ／２−ＢＰＳＫと一致する。したがって、ＨＴ−ＳＩＧフィールドの情報は、ＩＥＥＥ８０２．１１ａ／ｂ／ｎ／ｇ規格をサポートする受信機によって常に検出できうる。
【００６０】
図８Ｂで説明されるように、スケールされたＢＰＳＫは、π／２−ＢＰＳＫで変調されるＨＴ−ＳＩＧに追加される、ＶＨＴ−ＳＩＧデータを変調するために使用されうる。ＢＰＳＫデータ上のスケーリングファクタが１未満である限り、Ｖ／ＨＴ−ＳＩＧフィールドの主なエネルギーは、常にπ／２−ＢＰＳＫと一致しうる。したがって、ＨＴ−ＳＩＧフィールドの情報は、ＩＥＥＥ８０２．１１ａ／ｂ／ｎ／ｇ規格をサポートする受信機によって常に検出できうる。
【００６１】
図８Ｃは、ＶＨＴ−ＳＩＧデータを変調するためにスケールされたπ／２−ＢＰＳＫを利用し、π／２−ＢＰＳＫで変調されるＨＴ−ＳＩＧフィールドにそれを追加することを説明する。ＶＨＴデータ上のスケーリングファクタが０．５未満である限り、組み合わされたπ／２−ＢＰＳＫ（またはπ／２−ＰＡＭ）は、Ｑ＝０境界に沿ってスライスされた場合に常にオリジナルのＨＴ−ＳＩＧデータを生成する。明白に、全エネルギーは、π／２−ＢＰＳＫと一致する；  したがって、ＩＥＥＥ８０２．１１ｎのパケットの検出は維持される。
【００６２】
図９は、本開示のある態様に従う、ＩＥＥＥ８０２．１１ｎ／ａ／ｂ／ｇ規格に加えて極めて高いスループット（ＶＨＴ）のＩＥＥＥ  ８０２．１１ａｃをサポートする第３の提案されたプリアンブル構造を説明する。説明されるように、提案されたプリアンブル構造は、Ｌ−ＳＴＦ４０２、Ｌ−ＬＴＦ４０４、Ｌ−ＳＩＧ４０６、Ｖ／ＨＴ−ＳＩＧ１  ７０２およびＶ／ＨＴ−ＳＩＧ２  ７０４フィールドを含むレガシ部分を含む。その上、プリアンブル構造は、ＶＨＴ−ＳＴＦ６０２および１つまたは複数のＶＨＴ−ＬＴＦフィールド６０４を含むプレコード化された部分を含む。このプリアンブル構造において、Ｖ／ＨＴ−ＳＩＧ１  ７０２およびＶ／ＨＴ−ＳＩＧ２  ７０４フィールドのすべてのクライアントにオムニ様式でＶＨＴ−ＳＩＧデータが単に送られること以外、図６および７のプリアンブルの特性はすべて満たされる。
【００６３】
図１０は、本開示のある態様に従う、ＩＥＥＥ８０２．１１ｎ／ａ／ｂ／ｇ規格に加えて極めて高いスループット（ＶＨＴ）のＩＥＥＥ  ８０２．１１ａｃ規格をサポートする第４の提案されたプリアンブル構造を説明する。説明されるように、提案されたプリアンブル構造は、Ｌ−ＳＴＦ４０２、Ｌ−ＬＴＦ４０４、Ｌ−ＳＩＧ４０６、Ｖ／ＨＴ−ＳＩＧ１  ７０２およびＶ／ＨＴ−ＳＩＧ２  ７０４フィールドを含むレガシ部分を含む。その上、プリアンブル構造は、１つまたは複数のＶＨＴ−ＬＴＦフィールド６０４を含む別の部分を含む。ショートトレーニングフィールド（つまりＶＨＴ−ＳＴＦ）がこの構造で利用可能ではないので、このプリアンブル構造は、プレコード化、ＳＤＭＡまたはビームフォーミングをサポートしない。しかしながら、前のプリアンブルと比較して、このプリアンブルは、かなり短く効率的である。Ｖ／ＨＴ−ＳＩＧフィールド７０２および７０４は、ＶＨＴ特徴がこのフレームでサポートされるか／利用されるか理解するために受信機によって必要とされる情報を伝えることに注意するべきである。
【００６４】
図１１は、本開示のある態様に従う、複数の規格をサポートするプリアンブル構造を生成するための例示の動作１１００を説明する。１１０２で、ワイヤレスノードの第１のグループによって復号化可能な第１の部分、および同時に起こるマルチユーザ通信をすることができるワイヤレスノードの第２のグループによって復号化可能な第２の部分を含むフレーム構造を生成する。１１０４で、フレーム構造は、複数のデバイスに送信される。
【００６５】
図１２は、本開示のある態様に従う、プリアンブル構造で受信された情報に基づいて信号の送信モードの検出のための例示動作１２００を説明する。１２０２で、信号は、フレーム構造を備え、フレーム構造は、ワイヤレスノードの第１のグループによって復号化可能な第１の部分、および同時に起こるマルチユーザ通信をすることができるワイヤレスノードの第２のグループによって復号化可能な第２の部分を備える。１２０４で、信号の送信モードは、受信信号の情報に基づいて検出される。
【００６６】
以上で説明された方法の各種動作は、対応する機能を実行することができる任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。一般に、図面に例示された動作が存在する場合、これら動作は、同じ符番を付された対応するミーンズプラスファンクション（means-plus-function）コンポーネントを有しうる。例えば、図１１のブロック１１０２−１１０４は、図１１Ａで説明された回路ブロック１１０２Ａ−１１０４Ａに対応する。その上、図１２のブロック１２０２−１２０４は、図１２Ａで説明された回路ブロック１２０２Ａ−１２０４Ａに対応する。
【００６７】
本明細書に使用されたように、用語「決定」は種々様々な動作を包含する。例えば、「決定すること」は、計算、コンピューティング、処理、導出、調査、ルックアップ（例えば、テーブル、データベース、または他のデータ構造内のルックアップ）、確認等を含むことができる。また、「決定すること」は、受信（例えば、情報の受信）、アクセス（例えば、メモリ内のデータへのアクセス）等を含むことができる。また、「決定すること」は、解決、選択、選定、確立等を含むことができる。
【００６８】
以上で説明された方法の各種動作は、様々なハードウェアおよび／またはソフトウエアコンポーネント、回路、および／またはモジュール（複数可）のような、動作を実行することができる、任意の適切な手段によって実行されうる。概して、本願の図で説明された任意の動作は、さらに動作を実行することができる対応する機能の手段によって実行されうる。
【００６９】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくはその他のプログラマブル論理デバイス（ＰＬＤ）、ディスクリートゲートもしくはトランジスタロジック、ディスクリートハードウェアコンポーネント、または本明細書で説明される機能を実行するように設計されたその任意の組み合わせを用いて実施または実行することができる。汎用プロセッサは、マイクロプロセッサとすることができるが、代替案では、プロセッサを、任意の市販のプロセッサ、コントローラ、マイクロコントローラ、またはステートマシンとすることができる。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成であるコンピューティングデバイスの組み合わせとして実現されうる。
【００７０】
本開示に関連して記載される方法またはアルゴリズムのステップは、ハードウェアで直接的に、プロセッサによって実行されるソフトウェアモジュールで、あるいは、これらの組み合わせで具体化されうる。ソフトウェアモジュールは、当該技術分野において周知のすべての形式の記憶媒体に常駐することができる。使用できる記憶媒体のいくつかの例は、ランダムアクセスメモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどを含む。ソフトウェアモジュールは、単一の命令または複数の命令を備えることができ、複数の異なるコードセグメント上で、異なるプログラムの間で、および複数の記憶媒体にまたがって分散させることができる。記憶媒体を、プロセッサが記憶媒体から情報を読み取り、記憶媒体に情報を書き込めるように、プロセッサに結合することができる。あるいは、この記憶媒体は、プロセッサに統合されうる。
【００７１】
本明細書で開示された方法は、説明された方法を達成するための１または複数のステップまたは動作を備える。方法ステップおよび／または動作は、特許請求の範囲のスコープから逸脱せずに相互に置換することができる。言い換えると、ステップまたは動作の特定の順序が指定されていない限り、特定のステップおよび／または動作の順序および／または使用は、特許請求の範囲のスコープから逸脱せずに変更されうる。
【００７２】
記述された機能は、ハードウェア、ソフトウェア、ファームウェア、またはこれらの任意の組み合わせで実現されうる。ソフトウェアで実現される場合、これら機能は、コンピュータ読取可能媒体に、１または複数の命令群として格納される。記憶媒体は、コンピュータによってアクセスされうる利用可能な任意の媒体である。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラムコード手段を命令群またはデータ構造の形式で搬送または格納するために使用され、しかも、コンピュータによってアクセスされうるその他任意の媒体を備えうる。本明細書で使用されるディスク（ｄｉｓｋおよびｄｉｓｃ）は、コンパクトディスク（ＣＤ）（ｄｉｓｃ）、レーザディスク（ｄｉｓｃ）、光ディスク（ｄｉｓｃ）、ディジタルバーサタイルディスク（ＤＶＤ）（ｄｉｓｃ）、フロッピー（登録商標）ディスク（ｄｉｓｋ）およびブルーレイ（登録商標）ディスク（ｄｉｓｃ）を含んでいる。ここで、ｄｉｓｋは、通常、データを磁気的に再生する一方、ｄｉｓｃは、データをレーザを用いて光学的に再生する。
【００７３】
したがって、ある態様は、本明細書に示された動作を実行するためのコンピュータプログラム製品を備えうる。例えば、そのようなコンピュータプログラム製品は、その上に格納された（および／または符号化された）命令を有するコンピュータ可読媒体を備える。この命令は、本明細書に説明された動作を実行する１つまたは複数のプロセッサによって実行可能である。ある態様に対して、コンピュータプログラム製品は、パッケージングマテリアルを含みうる。
【００７４】
ソフトウェアまたは命令は、さらに送信媒体を通じて送信されうる。例えば、同軸ケーブル、光ファイバケーブル、ツイストペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバケーブル、ツイストペア、ＤＳＬ、あるいは、例えば赤外線、無線およびマイクロ波のような無線技術が、媒体の定義に含まれる。
【００７５】
さらに、本明細書で説明した方法および技法を実行するためのモジュールおよび／または他の適切な手段は、適用可能なようにユーザ端末および／または基地局によってダウンロードされるおよび／または他の場合に取得されることができることを諒解すべきである。例えば、そのようなデバイスを、本明細書で説明した方法を実行するための手段の転送を容易にするためにサーバに結合することができる。代替案では、本明細書で説明されるさまざまな方法を、記憶手段（例えば、ＲＡＭ、ＲＯＭ、コンパクトディスク（ＣＤ）またはフロッピーディスクなどの物理記憶媒体など）を介して提供することができ、ユーザ端末および／または基地局が、記憶手段をデバイスに結合するか提供するときにさまざまな方法を入手することができる。さらに、本明細書で説明された方法および技法をデバイスに提供するために、その他任意の適切な技法を利用することができる。
【００７６】
特許請求の範囲は、以上で説明された正確な構成およびコンポーネントに限定されないことが理解されるべきである。さまざまな修正、変更、および変形を、特許請求の範囲の範囲から逸脱せずに、前述した方法および装置の構成、動作、および詳細において実施することができる。
【００７７】
本明細書に提供される技法は、様々なアプリケーションで利用されうる。ある態様に対して、本明細書に示された技法は、アクセスポイント局、アクセス端末、モバイルハンドセット、または本明細書で提供される技法を実行する処理論理およびエレメントを有する他のタイプのワイヤレスデバイスに組み入れられうる。
【００７８】
前述のものは、本発明の実施形態に向けられているが、発明の他のおよびさらなる実施形態は、基本的なスコープから外れずに考え出され、その範囲は、以下の特許請求の範囲によって決定される。
【図１】
2014161050.tif 000003
【図２】
2014161050.tif 000004
【図３】
2014161050.tif 000005
【図４】
2014161050.tif 000006
【図５】
2014161050.tif 000007
【図６】
2014161050.tif 000008
【図７】
2014161050.tif 000009
【図８Ａ】
2014161050.tif 000010
【図８Ｂ】
2014161050.tif 000011
【図８Ｃ】
2014161050.tif 000012
【図９】
2014161050.tif 000013
【図１０】
2014161050.tif 000014
【図１１】
2014161050.tif 000015
【図１１Ａ】
2014161050.tif 000016
【図１２】
2014161050.tif 000017
【図１２Ａ】
2014161050.tif 000018
【手続補正書】
【提出日】平成26年5月2日(2014.5.2)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ワイヤレスノードの第１のグループによって復号化可能な第１の部分、および同時に起こるマルチユーザ通信をすることができるワイヤレスノードの第２のグループによって復号化可能な第２の部分を含むフレーム構造を生成することと、ここにおいて、前記第１の部分は、前記ワイヤレスノードの第２のグループによる使用のための第１の極めて高いスループット（ＶＨＴ）信号フィールド、および前記ワイヤレスノードの第２のグループによる使用のための第２の極めて高いスループット（ＶＨＴ）信号フィールドを含み、前記第２の部分は、前記ワイヤレスノードの第２のグループによる使用のための第３の極めて高いスループット（ＶＨＴ）信号フィールドを含む、
複数のデバイスに前記フレーム構造を送信することとを備える、方法。
【請求項２】
前記第１の部分は、レガシショートトレーニングフィールド（Ｌ−ＳＴＦ）、ロングトレーニングフィールド（Ｌ−ＬＴＦ）およびレガシ信号フィールド（Ｌ−ＳＩＧ）を備える、請求項１に記載の方法。
【請求項３】
前記第１のＶＨＴ信号フィールドおよび前記第２のＶＨＴ信号フィールドは、２つ以上の受信ノードによる使用のためのものであり、前記第３のＶＨＴ信号フィールドは、特定の受信ノードによる使用のためにプレコード化される、請求項１に記載の方法。
【請求項４】
前記フレーム構造の前記第２の部分は、極めて高いスループットのショートトレーニングフィールド（ＶＨＴ−ＳＴＦ）、少なくとも１つのＶＨＴ−ロングトレーニングフィールド（ＶＨＴ−ＬＴＦ）、およびＶＨＴ−信号フィールド（ＶＨＴ−ＳＩＧ）を備える、請求項１に記載の方法。
【請求項５】
前記ワイヤレスノードの第２のグループ内の前記ワイヤレスノードの各々が前記フレーム構造の前記第２の部分の固有のバージョンを受信するように、前記フレーム構造の前記第２の部分は、プレコード化される、請求項１に記載の方法。
【請求項６】
前記ノードの第１のグループは、電気電子学会（ＩＥＥＥ）８０２．１１ａ／ｇ、ＩＥＥＥ８０２．１１ｎまたはＩＥＥＥ８０２．１１ａｃ規格のうちの１つに従う、請求項１に記載の方法。
【請求項７】
前記ノードの第２のグループは、電気電子学会（ＩＥＥＥ）８０２．１１ａｃ規格に従う、請求項１に記載の方法。
【請求項８】
前記ノードの第２のグループは、前記ノードの第１のグループのサブセットである、請求項１に記載の方法。
【請求項９】
前記ＶＨＴ−ＳＩＧフィールドは、π／２−ＢＰＳＫ（２相位相変調）変調を使用して送信される、請求項４に記載の方法。
【請求項１０】
前記ワイヤレスノードの第２のグループ内の前記ワイヤレスノードの各々が前記ＶＨＴ−ＳＩＧフィールドの固有のバージョンを受信するように、ＶＨＴ−ＳＩＧフィールドのデータはプレコード化される、請求項４に記載の方法。
【請求項１１】
前記ＶＨＴ−ＳＩＧフィールドは、空間分割多元接続（ＳＤＭＡ）を使用して送信される、請求項４に記載の方法。
【請求項１２】
前記ＶＨＴ−ＳＩＧフィールドは前記ＶＨＴ−ロングトレーニングフィールド（ＶＨＴ−ＬＴＦ）のうちの１つの後で送信される、請求項４に記載の方法。
【請求項１３】
ＶＨＴ−ＳＩＧフィールドは、１つまたは複数のＶＨＴ−ＬＴＦ（ロングトレーニングフィールド）の後で送信される、請求項２に記載の方法。
【請求項１４】
前記ＶＨＴ−ＳＩＧフィールドは、１つまたは複数のサブキャリアを通じて送信される、請求項２に記載の方法。
【請求項１５】
前記ＶＨＴ−ＳＩＧフィールドは、シーケンスを使用する前記サブキャリアに分散され、前記シーケンスは、ウォルシュコード、ゴーレイコードまたは相補的コードキーイング（ＣＣＫ）を備える、請求項１４に記載の方法。
【請求項１６】
ワイヤレス通信のための方法であって、
フレーム構造を備える信号を受信することと、ここにおいて、前記フレーム構造は、ワイヤレスノードの第１のグループによって復号化可能な第１の部分および同時に起こるマルチユーザ通信ができるワイヤレスノードの第２のグループによって復号化可能な第２の部分を備える、
前記受信信号の情報に基づいて前記信号の送信モードを検出することとを備える、方法。
【請求項１７】
前記第１の部分は、レガシショートトレーニングフィールド（Ｌ−ＳＴＦ）、ロングトレーニングフィールド（Ｌ−ＬＴＦ）、レガシ信号フィールド（Ｌ−ＳＩＧ）、および２つの高いスループットの信号（ＨＴ−ＳＩＧ）フィールドを備える、請求項１６に記載の方法。
【請求項１８】
前記フレーム構造の前記第２の部分は、極めて高いスループットのショートトレーニングフィールド（ＶＨＴ−ＳＴＦ）、少なくとも１つのＶＨＴ−ロングトレーニングフィールド（ＶＨＴ−ＬＴＦ）、ＶＨＴ−信号フィールド（ＶＨＴ−ＳＩＧ）を備える、請求項１６に記載の方法。
【請求項１９】
前記ワイヤレスノードの第２のグループ内の前記ワイヤレスノードの各々が前記フレーム構造の前記第２の部分の固有のバージョンを受信するように、前記フレーム構造の前記第２の部分は、プレコード化される、請求項１６に記載の方法。
【手続補正２】
【補正対象書類名】明細書
【補正対象項目名】００７８
【補正方法】変更
【補正の内容】
【００７８】
前述のものは、本発明の実施形態に向けられているが、発明の他のおよびさらなる実施
形態は、基本的なスコープから外れずに考え出され、その範囲は、以下の特許請求の範囲
によって決定される。
以下に、本願出願の当初の特許請求の範囲に記載された発明を付記する。
［Ｃ１］
ワイヤレス通信のための方法であって、
ワイヤレスノードの第１のグループによって復号化可能な第１の部分、および同時に起こるマルチユーザ通信をすることができるワイヤレスノードの第２のグループによって復号化可能な第２の部分を含むフレーム構造を生成することと、
前記複数のデバイスにフレーム構造を送信することとを備える、方法。
［Ｃ２］
前記第１の部分は、レガシショートトレーニングフィールド（Ｌ−ＳＴＦ）、ロングトレーニングフィールド（Ｌ−ＬＴＦ）およびレガシ信号フィールド（Ｌ−ＳＩＧ）を備える、Ｃ１に記載の方法。
［Ｃ３］
前記第１の部分は、１つまたは複数の極めて高いスループットの信号（ＶＨＴ−ＳＩＧ）フィールドまたは１つまたは複数の高いスループットの信号（ＨＴ−ＳＩＧ）フィールドをさらに備える、Ｃ２に記載の方法。
［Ｃ４］
前記フレーム構造の前記第２の部分は、極めて高いスループットのショートトレーニングフィールド（ＶＨＴ−ＳＴＦ）、少なくとも１つのＶＨＴ−ロングトレーニングフィールド（ＶＨＴ−ＬＴＦ）、およびＶＨＴ−信号フィールド（ＶＨＴ−ＳＩＧ）を備える、Ｃ１に記載の方法。
［Ｃ５］
前記フレーム構造の前記第２の部分は、プレコード化される、Ｃ１に記載の方法。
［Ｃ６］
前記ノードの第１のグループは、電気電子学会（ＩＥＥＥ）８０２．１１ａ／ｇ、ＩＥＥＥの８０２．１１ｎまたはＩＥＥＥ８０２．１１ａｃ規格のうちの１つに従う、Ｃ１に記載の方法。
［Ｃ７］
前記ノードの第２のグループは、電気電子学会（ＩＥＥＥ）８０２．１１ａｃ規格に従う、Ｃ１に記載の方法。
［Ｃ８］
前記ノードの第２のグループは、前記ノードの第１のグループのサブセットである、Ｃ１に記載の方法。
［Ｃ９］
前記ＶＨＴ−ＳＩＧフィールドは、π／２−ＢＰＳＫ（２相位相変調）変調を使用して送信される、Ｃ４に記載の方法。
［Ｃ１０］
前記１つまたは複数のＶＨＴ−ＳＩＧフィールドまたは前記１つまたは複数のＨＴ−ＳＩＧフィールドは、π／２−ＢＰＳＫ（２相位相変調）変調を使用して送信される、Ｃ３に記載の方法。
［Ｃ１１］
ＶＨＴ−ＳＩＧフィールドのデータはプレコード化される、Ｃ４に記載の方法。
［Ｃ１２］
前記ＶＨＴ−ＳＩＧフィールドは、空間分割多元接続（ＳＤＭＡ）を使用して送信される、Ｃ４に記載の方法。
［Ｃ１３］
前記ＶＨＴ−ＳＩＧフィールドは前記ＶＨＴ−ロングトレーニングフィールド（ＶＨＴ−ＬＴＦ）のうちの１つの後で送信される、Ｃ４に記載の方法。
［Ｃ１４］
少なくとも１つの極めて高いスループットの信号フィールド（ＶＨＴ−ＳＩＧ）は、前記ＨＴ−ＳＩＧフィールドの少なくとも１つと同時に送信される、Ｃ２に記載の方法。
［Ｃ１５］
前記ＶＨＴ−ＳＩＧフィールドは、２相位相変調（ＢＰＳＫ）、π／２−ＰＡＭ（パルス振幅変調）またはスケールされたＢＰＳＫ変調のうちの１つを利用して送信される、Ｃ１４に記載の方法。
［Ｃ１６］
ＶＨＴ−ＳＩＧフィールドは、１つまたは複数のＶＨＴ−ＬＴＦ（ロングトレーニングフィールド）の後で送信される、Ｃ１４に記載の方法。
［Ｃ１７］
前記ＶＨＴ−ＳＩＧフィールドは、１つまたは複数のサブキャリアを通じて送信される、Ｃ１４に記載の方法。
［Ｃ１８］
前記ＶＨＴ−ＳＩＧフィールドは、シーケンスを使用する前記サブキャリアに分散され、前記シーケンスは、ウォルシュコード、ゴーレイコードまたは相補的コードキーイング（ＣＣＫ）を備える、Ｃ１７に記載の方法。
［Ｃ１９］
ワイヤレス通信のために方法であって、
フレーム構造を備える信号を受信することと、ここにおいて、前記フレーム構造は、ワイヤレスノードの第１のグループによって復号化可能な第１の部分および同時に起こるマルチユーザ通信ができるワイヤレスノードの第２のグループによって復号化可能な第２の部分を備える、
前記受信信号の情報に基づいて前記信号の送信モードを検出することとを備える、方法。
［Ｃ２０］
前記第１の部分は、レガシショートトレーニングフィールド（Ｌ−ＳＴＦ）、ロングトレーニングフィールド（Ｌ−ＬＴＦ）、レガシ信号フィールド（Ｌ−ＳＩＧ）、および２つの高いスループットの信号（ＨＴ−ＳＩＧ）フィールドを備える、Ｃ１９に記載の方法。
［Ｃ２１］
前記フレーム構造の前記第２の部分は、極めて高いスループットのショートトレーニングフィールド（ＶＨＴ−ＳＴＦ）、少なくとも１つのＶＨＴ−ロングトレーニングフィールド（ＶＨＴ−ＬＴＦ）、ＶＨＴ−信号フィールド（ＶＨＴ−ＳＩＧ）を備える、Ｃ１９に記載の方法。
［Ｃ２２］
前記フレーム構造の前記第２の部分は、プレコード化される、Ｃ１９に記載の方法。
［Ｃ２３］
前記ノードの第１のグループは、電気電子学会（ＩＥＥＥ）８０２．１１ａ／ｇ、ＩＥＥＥの８０２．１１ｎまたはＩＥＥＥ８０２．１１ａｃ規格のうちの１つに従う、Ｃ１９に記載の方法。
［Ｃ２４］
前記ノードの第２のグループは、電気電子学会（ＩＥＥＥ）８０２．１１ａｃ規格に従う、Ｃ１９に記載の方法。
［Ｃ２５］
前記ＶＨＴ−ＳＩＧフィールドは、π／２−ＢＰＳＫ（２相位相変調）変調を使用して送信される、Ｃ２１に記載の方法。
［Ｃ２６］
ＶＨＴ−ＳＩＧフィールドのデータは、プレコード化される、Ｃ２１に記載の方法。
［Ｃ２７］
前記ＶＨＴ−ＳＩＧフィールドは、空間分割多元接続（ＳＤＭＡ）を使用して送信される、Ｃ２１に記載の方法。
［Ｃ２８］
前記ＶＨＴ−ＳＩＧフィールドは、前記ＶＨＴ−ロングトレーニングフィールド（ＶＨＴ−ＬＴＦ）のうちの１つの後で受信される、Ｃ２１に記載の方法。
［Ｃ２９］
少なくとも１つの極めて高いスループットの信号フィールド（ＶＨＴ−ＳＩＧ）は、前記ＨＴ−ＳＩＧフィールドの少なくとも１つと同時に受信される、Ｃ２０に記載の方法。
［Ｃ３０］
前記ＶＨＴ−ＳＩＧフィールドは、２相位相変調（ＢＰＳＫ）、π／２−ＰＡＭ（パルス振幅変調）、またはスケールされたＢＰＳＫ変調のうちの１つを利用して送信される、Ｃ２９に記載の方法。
［Ｃ３１］
ＶＨＴ−ＳＩＧフィールドは、１つまたは複数のＶＨＴ−ＬＴＦ（ロングトレーニングフィールド）の後で受信される、Ｃ３０に記載の方法。
［Ｃ３２］
前記ＶＨＴ−ＳＩＧフィールドは、１つまたは複数のサブキャリアを通じて送信される、Ｃ３０に記載の方法。
［Ｃ３３］
前記ＶＨＴ−ＳＩＧフィールドは、シーケンスを使用する前記サブキャリアに分散され、前記シーケンスは、ウォルシュコード、ゴーレイコード、または相補的コードキーイング（ＣＣＫ）を備える、Ｃ３２に記載の方法。
［Ｃ３４］
ワイヤレス通信のための装置であって
ワイヤレスノードの第１のグループによって復号化可能な第１の部分、および同時に起こるマルチユーザ通信をすることができるワイヤレスノードの第２のグループによって復号化可能な第２の部分を含むフレーム構造を生成するように構成された回路と、
前記複数のデバイスにフレーム構造を送信するように構成された送信機とを備える装置。
［Ｃ３５］
前記第１の部分は、レガシショートトレーニングフィールド（Ｌ−ＳＴＦ）、ロングト
レーニングフィールド（Ｌ−ＬＴＦ）およびレガシ信号フィールド（Ｌ−ＳＩＧ）を備え
る、Ｃ３４に記載の装置。
［Ｃ３６］
前記第１の部分は、１つまたは複数の極めて高いスループットの信号（ＶＨＴ−ＳＩＧ）フィールドまたは１つまたは複数の高いスループットの信号（ＨＴ−ＳＩＧ）フィールドをさらに備える、Ｃ３５に記載の装置。
［Ｃ３７］
前記フレーム構造の前記第２の部分は、極めて高いスループットのショートトレーニングフィールド（ＶＨＴ−ＳＴＦ）、少なくとも１つのＶＨＴ−ロングトレーニングフィールド（ＶＨＴ−ＬＴＦ）、およびＶＨＴ−信号フィールド（ＶＨＴ−ＳＩＧ）を備える、Ｃ３４に記載の装置。
［Ｃ３８］
前記フレーム構造の前記第２の部分はプレコード化される、Ｃ３４に記載の装置。
［Ｃ３９］
前記ノードの第１のグループは、電気電子学会（ＩＥＥＥ）８０２．１１ａ／ｇ、ＩＥＥＥの８０２．１１ｎまたはＩＥＥＥ８０２．１１ａｃ規格のうちの１つに従う、Ｃ３４に記載の装置。
［Ｃ４０］
前記ノードの第２のグループは、電気電子学会（ＩＥＥＥ）８０２．１１ａｃ規格に従う、Ｃ３４に記載の装置。
［Ｃ４１］
前記ノードの第２のグループは、前記ノードの第１のグループのサブセットである、Ｃ３４に記載の装置。
［Ｃ４２］
前記ＶＨＴ−ＳＩＧフィールドは、π／２−ＢＰＳＫ（２相位相変調）変調を使用して送信される、Ｃ３７に記載の装置。
［Ｃ４３］
前記１つまたは複数のＶＨＴ−ＳＩＧフィールドまたは前記１つまたは複数のＨＴ−ＳＩＧフィールドは、π／２−ＢＰＳＫ（２相位相変調）変調を使用して送信される、Ｃ３６に記載の装置。
［Ｃ４４］
ＶＨＴ−ＳＩＧフィールドのデータはプレコード化される、Ｃ３７に記載の装置。
［Ｃ４５］
前記ＶＨＴ−ＳＩＧフィールドは、空間分割多元接続（ＳＤＭＡ）を使用して送信される、Ｃ３７に記載の装置。
［Ｃ４６］
前記ＶＨＴ−ＳＩＧフィールドは前記ＶＨＴロングトレーニングフィールド（ＶＨＴ−ＬＴＦ）のうちの１つの後で送信される、Ｃ３７に記載の装置。
［Ｃ４７］
少なくとも１つの極めて高いスループットの信号フィールド（ＶＨＴ−ＳＩＧ）は、前記ＨＴ−ＳＩＧフィールドの少なくとも１つと同時に送信される、Ｃ３５に記載の装置。
［Ｃ４８］
前記ＶＨＴ−ＳＩＧフィールドは、２相位相変調（ＢＰＳＫ）、π／２−ＰＡＭ（パルス振幅変調）またはスケールされたＢＰＳＫ変調のうちの１つを利用して送信される、Ｃ４７に記載の装置。
［Ｃ４９］
ＶＨＴ−ＳＩＧフィールドは、１つまたは複数のＶＨＴ−ＬＴＦ（ロングトレーニングフィールド）の後で送信される、Ｃ４８に記載の装置。
［Ｃ５０］
前記ＶＨＴ−ＳＩＧフィールドは、１つまたは複数のサブキャリアを通じて送信される、Ｃ４７に記載の装置。
［Ｃ５１］
前記ＶＨＴ−ＳＩＧフィールドは、シーケンスを使用する前記サブキャリアに分散され、前記シーケンスは、ウォルシュコード、ゴーレイコードまたは相補的コードキーイング（ＣＣＫ）を備える、Ｃ５０に記載の装置。
［Ｃ５２］
ワイヤレス通信のための装置であって、
フレーム構造を備える信号を受信するように構成された受信機と、ここにおいて、前記フレーム構造は、ワイヤレスノードの第１のグループによって復号化可能な第１の部分および同時に起こるマルチユーザ通信ができるワイヤレスノードの第２のグループによって復号化可能な第２の部分を備える、
前記受信信号の情報に基づいて前記信号の送信モードを検出するように構成された回路とを備える、装置。
［Ｃ５３］
前記第１の部分は、レガシショートトレーニングフィールド（Ｌ−ＳＴＦ）、ロングトレーニングフィールド（Ｌ−ＬＴＦ）、レガシ信号フィールド（Ｌ−ＳＩＧ）、および２つの高いスループットの信号（ＨＴ−ＳＩＧ）フィールドを備える、Ｃ５２に記載の装置。
［Ｃ５４］
前記フレーム構造の前記第２の部分は、極めて高いスループットのショートトレーニングフィールド（ＶＨＴ−ＳＴＦ）、少なくとも１つのＶＨＴ−ロングトレーニングフィールド（ＶＨＴ−ＬＴＦ）、ＶＨＴ信号フィールド（ＶＨＴ−ＳＩＧ）を備える、Ｃ５２に記載の装置。
［Ｃ５５］
前記フレーム構造の前記第２の部分は、プレコード化される、Ｃ５２に記載の装置。
［Ｃ５６］
前記ノードの第１のグループは、電気電子学会（ＩＥＥＥ）８０２．１１ａ／ｇ、ＩＥＥＥの８０２．１１ｎまたはＩＥＥＥ８０２．１１ａｃ規格のうちの１つに従う、Ｃ５２に記載の装置。
［Ｃ５７］
前記ノードの第２のグループは、電気電子学会（ＩＥＥＥ）８０２．１１ａｃ規格に従う、Ｃ５２に記載の装置。
［Ｃ５８］
前記ＶＨＴ−ＳＩＧフィールドは、π／２−ＢＰＳＫ（２相位相変調）変調を使用して送信される、Ｃ５４に記載の装置。
［Ｃ５９］
ＶＨＴ−ＳＩＧフィールドのデータは、プレコード化される、Ｃ５４に記載の装置。
［Ｃ６０］
前記ＶＨＴ−ＳＩＧフィールドは、空間分割多元接続（ＳＤＭＡ）を使用して送信される、Ｃ５４に記載の装置。
［Ｃ６１］
前記ＶＨＴ−ＳＩＧフィールドは、前記ＶＨＴ−ロングトレーニングフィールド（ＶＨＴ−ＬＴＦ）のうちの１つの後で受信される、Ｃ５４に記載の装置。
［Ｃ６２］
少なくとも１つの極めて高いスループットの信号フィールド（ＶＨＴ−ＳＩＧ）は、前記ＨＴ−ＳＩＧフィールドの少なくとも１つと同時に受信される、Ｃ５３に記載の装置。
［Ｃ６３］
前記ＶＨＴ−ＳＩＧフィールドは、２相位相変調（ＢＰＳＫ）、π／２−ＰＡＭ（パルス振幅変調）、またはスケールされたＢＰＳＫ変調のうちの１つを利用して送信される、Ｃ６２に記載の装置。
［Ｃ６４］
ＶＨＴ−ＳＩＧフィールドは、１つまたは複数のＶＨＴ−ＬＴＦ（ロングトレーニングフィールド）の後で受信される、Ｃ６３に記載の装置。
［Ｃ６５］
前記ＶＨＴ−ＳＩＧフィールドは、１つまたは複数のサブキャリアを通じて送信される、Ｃ６３に記載の装置。
［Ｃ６６］
前記ＶＨＴ−ＳＩＧフィールドは、シーケンスを使用する前記サブキャリアに分散され、前記シーケンスは、ウォルシュコード、ゴーレイコード、または相補的コードキーイング（ＣＣＫ）を備える、Ｃ６５に記載の装置。
［Ｃ６７］
ワイヤレス通信のための装置であって、
ワイヤレスノードの第１のグループによって復号化可能な第１の部分、および同時に起こるマルチユーザ通信をすることができるワイヤレスノードの第２のグループによって復号化可能な第２の部分を含むフレーム構造を生成するための手段と、前記複数のデバイスにフレーム構造を送信するための手段とを備える、装置。
［Ｃ６８］
前記第１の部分は、レガシショートトレーニングフィールド（Ｌ−ＳＴＦ）、ロングトレーニングフィールド（Ｌ−ＬＴＦ）およびレガシ信号フィールド（Ｌ−ＳＩＧ）を備える、Ｃ６７に記載の装置。
［Ｃ６９］
前記第１の部分は、１つまたは複数の極めて高いスループットの信号（ＶＨＴ−ＳＩＧ）フィールドまたは１つまたは複数の高いスループットの信号（ＨＴ−ＳＩＧ）フィールドをさらに備える、Ｃ６８に記載の装置。
［Ｃ７０］
前記フレーム構造の前記第２の部分は、極めて高いスループットのショートトレーニングフィールド（ＶＨＴ−ＳＴＦ）、少なくとも１つのＶＨＴ−ロングトレーニングフィールド（ＶＨＴ−ＬＴＦ）、およびＶＨＴ−信号フィールド（ＶＨＴ−ＳＩＧ）を備える、Ｃ６７に記載の装置。
［Ｃ７１］
前記フレーム構造の前記第２の部分はプレコード化される、Ｃ６７に記載の装置。
［Ｃ７２］
前記ノードの第１のグループは、電気電子学会（ＩＥＥＥ）８０２．１１ａ／ｇ、ＩＥ
ＥＥの８０２．１１ｎまたはＩＥＥＥ８０２．１１ａｃ規格のうちの１つに従う、Ｃ６７
に記載の装置。
［Ｃ７３］
前記ノードの第２のグループは、電気電子学会（ＩＥＥＥ）８０２．１１ａｃ規格に従う、Ｃ６７に記載の装置。
［Ｃ７４］
前記ノードの第２のグループは、前記ノードの第１のグループのサブセットである、Ｃ６７に記載の装置。
［Ｃ７５］
前記ＶＨＴ−ＳＩＧフィールドは、π／２−ＢＰＳＫ（２相位相変調）変調を使用して送信される、Ｃ７０に記載の装置。
［Ｃ７６］
前記１つまたは複数のＶＨＴ−ＳＩＧフィールドまたは前記１つまたは複数のＨＴ−ＳＩＧフィールドは、π／２−ＢＰＳＫ（２相位相変調）変調を使用して送信される、Ｃ６９に記載の装置。
［Ｃ７７］
ＶＨＴ−ＳＩＧフィールドのデータはプレコード化される、Ｃ７０に記載の装置。
［Ｃ７８］
前記ＶＨＴ−ＳＩＧフィールドは、空間分割多元接続（ＳＤＭＡ）を使用して送信される、Ｃ７０に記載の装置。
［Ｃ７９］
前記ＶＨＴ−ＳＩＧフィールドは前記ＶＨＴ−ロングトレーニングフィールド（ＶＨＴ−ＬＴＦ）のうちの１つの後で送信される、Ｃ７０に記載の装置。
［Ｃ８０］
少なくとも１つの極めて高いスループットの信号フィールド（ＶＨＴ−ＳＩＧ）は、前記ＨＴ−ＳＩＧフィールドの少なくとも１つと同時に送信される、Ｃ６８に記載の装置。
［Ｃ８１］
前記ＶＨＴ−ＳＩＧフィールドは、２相位相変調（ＢＰＳＫ）、π／２−ＰＡＭ（パルス振幅変調）またはスケールされたＢＰＳＫ変調のうちの１つを利用して送信される、Ｃ８０に記載の装置。
［Ｃ８２］
ＶＨＴ−ＳＩＧフィールドは、１つまたは複数のＶＨＴ−ＬＴＦ（ロングトレーニングフィールド）の後で送信される、Ｃ８０に記載の装置。
［Ｃ８３］
前記ＶＨＴ−ＳＩＧフィールドは、１つまたは複数のサブキャリアを通じて送信される、Ｃ８０に記載の装置。
［Ｃ８４］
前記ＶＨＴ−ＳＩＧフィールドは、シーケンスを使用する前記サブキャリアに分散され、前記シーケンスは、ウォルシュコード、ゴーレイコードまたは相補的コードキーイング（ＣＣＫ）を備える、Ｃ８３に記載の装置。
［Ｃ８５］
ワイヤレス通信のための装置であって、
フレーム構造を備える信号を受信するための手段と、ここにおいて、前記フレーム構造は、ワイヤレスノードの第１のグループによって復号化可能な第１の部分および同時に起こるマルチユーザ通信ができるワイヤレスノードの第２のグループによって復号化可能な第２の部分を備える、
前記受信信号の情報に基づいて前記信号の送信モードを検出するための手段とを備える、装置。
［Ｃ８６］
前記第１の部分は、レガシショートトレーニングフィールド（Ｌ−ＳＴＦ）、ロングトレーニングフィールド（Ｌ−ＬＴＦ）、レガシ信号フィールド（Ｌ−ＳＩＧ）、および２つの高いスループットの信号（ＨＴ−ＳＩＧ）フィールドを備える、Ｃ８５に記載の装置。
［Ｃ８７］
前記フレーム構造の前記第２の部分は、極めて高いスループットのショートトレーニングフィールド（ＶＨＴ−ＳＴＦ）、少なくとも１つのＶＨＴ−ロングトレーニングフィールド（ＶＨＴ−ＬＴＦ）、ＶＨＴ信号フィールド（ＶＨＴ−ＳＩＧ）を備える、Ｃ８５に記載の装置。
［Ｃ８８］
前記フレーム構造の前記第２の部分は、プレコード化される、Ｃ８５に記載の装置。
［Ｃ８９］
前記ノードの第１のグループは、電気電子学会（ＩＥＥＥ）８０２．１１ａ／ｇ、ＩＥＥＥの８０２．１１ｎまたはＩＥＥＥ８０２．１１ａｃ規格のうちの１つに従う、Ｃ８５に記載の装置。
［Ｃ９０］
前記ノードの第２のグループは、電気電子学会（ＩＥＥＥ）８０２．１１ａｃ規格に従う、Ｃ８５に記載の装置。
［Ｃ９１］
前記ＶＨＴ−ＳＩＧフィールドは、π／２−ＢＰＳＫ（２相位相変調）変調を使用して送信される、Ｃ８７に記載の装置。
［Ｃ９２］
ＶＨＴ−ＳＩＧフィールドのデータは、プレコード化される、Ｃ８７に記載の装置。
［Ｃ９３］
前記ＶＨＴ−ＳＩＧフィールドは、空間分割多元接続（ＳＤＭＡ）を使用して送信される、Ｃ８７に記載の装置。
［Ｃ９４］
前記ＶＨＴ−ＳＩＧフィールドは、前記ＶＨＴ−ロングトレーニングフィールド（ＶＨＴ−ＬＴＦ）のうちの１つの後で受信される、Ｃ８７に記載の装置。
［Ｃ９５］
少なくとも１つの極めて高いスループットの信号フィールド（ＶＨＴ−ＳＩＧ）は、前記ＨＴ−ＳＩＧフィールドの少なくとも１つと同時に受信される、Ｃ８６に記載の装置。
［Ｃ９６］
前記ＶＨＴ−ＳＩＧフィールドは、２相位相変調（ＢＰＳＫ）、π／２−ＰＡＭ（パルス振幅変調）、またはスケールされたＢＰＳＫ変調のうちの１つを利用して送信される、
Ｃ９５に記載の装置。
［Ｃ９７］
ＶＨＴ−ＳＩＧフィールドは、１つまたは複数のＶＨＴ−ＬＴＦ（ロングトレーニングフィールド）の後で受信される、Ｃ９６に記載の装置。
［Ｃ９８］
前記ＶＨＴ−ＳＩＧフィールドは、１つまたは複数のサブキャリアを通じて送信される、Ｃ９６に記載の装置。
［Ｃ９９］
前記ＶＨＴ−ＳＩＧフィールドは、シーケンスを使用する前記サブキャリアに分散され、前記シーケンスは、ウォルシュコード、ゴーレイコード、または相補的コードキーイング（ＣＣＫ）を備える、Ｃ９８に記載の装置。
［Ｃ１００］
ワイヤレスノードの第１のグループによって復号化可能な第１の部分、および同時に起こるマルチユーザ通信をすることができるワイヤレスノードの第２のグループによって復号化可能な第２の部分を含むフレーム構造を生成することと、
前記複数のデバイスにフレーム構造を送信することと
を実行可能な命令を備えるコンピュータ可読媒体を備える、ワイヤレス通信のためのコンピュータプログラム製品。
［Ｃ１０１］
フレーム構造を備える信号を受信することと、ここにおいて、前記フレーム構造は、ワイヤレスノードの第１のグループによって復号化可能な第１の部分および同時に起こるマルチユーザ通信ができるワイヤレスノードの第２のグループによって復号化可能な第２の部分を備える、
前記受信信号の情報に基づいて前記信号の送信モードを検出することと
を実行可能な命令を備えるコンピュータ可読媒体を備える、ワイヤレス通信のためのコンピュータプログラム製品。
［Ｃ１０２］
複数のアンテナと、
ワイヤレスノードの第１のグループによって復号化可能な第１の部分、および同時に起こるマルチユーザ通信をすることができるワイヤレスノードの第２のグループによって復号化可能な第２の部分を含むフレーム構造を生成するように構成された回路と、
前記複数のアンテナを介して、前記複数のデバイスにフレーム構造を送信するように構成された送信機とを備えるアクセスポイント。
［Ｃ１０３］
少なくとも１本のアンテナと、
前記少なくとも１本のアンテナを介して、フレーム構造を備える信号を受信するように構成された受信機と、ここにおいて、前記フレーム構造は、ワイヤレスノードの第１のグループによって復号化可能な第１の部分および同時に起こるマルチユーザ通信ができるワイヤレスノードの第２のグループによって復号化可能な第２の部分を備える、
前記受信信号の情報に基づいて前記信号の送信モードを検出するように構成された回路を備える、ワイヤレスノード。
【外国語明細書】
2014161050000001.pdf